(57)【要約】  本発明は、アンテナ構成方法、端末デバイスおよびアンテナ回路を提供する。方法は、端末デバイスにおける複数の通信モジュールの各々の通信ステータスを決定する段階と、通信モジュールの通信ステータスに基づいて、各通信モジュールのアンテナ使用優先度を決定する段階と、通信モジュールのアンテナ使用優先度に基づいて、アンテナを各通信モジュール用に構成する段階とを含む。このようにして、サービスユーザのシナリオ体験が改善され得る。
2019535168.tif 000002
【特許請求の範囲】
【請求項１】
アンテナ構成方法であって、
端末デバイスにおける複数の通信モジュールの各々の通信ステータスを決定する段階と、
各通信モジュールの前記通信ステータスに基づいて、前記通信モジュールのアンテナ使用優先度を決定する段階と、
各通信モジュールの前記アンテナ使用優先度に基づいて、前記通信モジュール用にアンテナを構成する段階と
を備える方法。
【請求項２】
各通信モジュールの前記通信ステータスに基づいて、前記通信モジュールのアンテナ使用優先度を決定する前記段階は、
前記通信ステータス、および前記通信ステータスと前記アンテナ使用優先度との間の対応関係を含む予め設定された対応関係に基づいて、各通信モジュールの前記アンテナ使用優先度を決定する段階
を有する、
請求項１に記載の方法。
【請求項３】
各通信モジュールの前記アンテナ使用優先度に基づいて、前記通信モジュール用にアンテナを構成する前記段階は、
各通信モジュールの前記アンテナ使用優先度に基づいて、前記通信モジュールに割り当てられるアンテナの数を決定する段階と、
各通信モジュールに割り当てられる前記アンテナの数に基づいて、前記通信モジュール用に前記アンテナを構成する段階と
を有する、
請求項１または２に記載の方法。
【請求項４】
各通信モジュールの前記アンテナ使用優先度に基づいて、前記通信モジュールに割り当てられるアンテナの数を決定する前記段階は、
各通信モジュールの前記アンテナ使用優先度と、前記通信モジュールによりサポートされるアンテナの最大数と、前記通信モジュールについてのアンテナ数割り当て原則とに基づいて、前記通信モジュールに割り当てられる前記アンテナの数を決定する段階
を含む、
請求項３に記載の方法。
【請求項５】
前記アンテナ数割り当て原則は、
各通信モジュールの前記アンテナ使用優先度に基づいて、前記通信モジュールに割り当てられるアンテナの最小数を決定すること、
平均割り当て方式と残りのアンテナの数とに基づいて、第１のアンテナ使用優先度セットにおける各通信モジュールに割り当てられるアンテナの数を決定すること、および、
前記第１のアンテナ使用優先度セットにおける各通信モジュールに割り当てられる前記アンテナの数が、前記第１のアンテナ使用優先度セットにおける前記通信モジュールによりサポートされるアンテナの最大数である場合、前記平均割り当て方式と残りのアンテナの数とに基づいて、第２のアンテナ使用優先度セットにおける各通信モジュールに割り当てられるアンテナの数を決定すること
であり、
前記第１のアンテナ使用優先度セットにおける前記通信モジュールは、同じアンテナ使用優先度を有し、
前記第２のアンテナ使用優先度セットにおける前記通信モジュールは、同じアンテナ使用優先度を有し、
前記第１のアンテナ使用優先度セットにおける各通信モジュールのアンテナ使用優先度は、前記第２のアンテナ使用優先度セットにおける各通信モジュールのアンテナ使用優先度より高い、
請求項４に記載の方法。
【請求項６】
各通信モジュールについてアンテナ性能測定結果を決定する段階
をさらに備え、
前記通信モジュールに割り当てられる前記アンテナの数に基づいて、各通信モジュール用に前記アンテナを構成する前記段階は、
前記通信モジュールの前記アンテナ使用優先度と、前記通信モジュールに割り当てられる前記アンテナの数と、前記アンテナ性能測定結果と、前記通信モジュールについてのアンテナ選択原則とに基づいて、各通信モジュール用に前記アンテナを構成する段階
を含む、
請求項３から５のいずれか一項に記載の方法。
【請求項７】
前記アンテナ選択原則は、
各通信モジュールについて、前記通信モジュールに対応するアンテナの最小の好ましい数を前記アンテナ使用優先度の降順かつアンテナ性能の降順で選択すること、
前記第１のアンテナ使用優先度セットにおける各通信モジュールについて、１または複数の残りのアンテナからアンテナを代替的な選択方式で選択すること、および、
前記第１のアンテナ使用優先度セットにおける各通信モジュールについて選択されたアンテナの数が、前記第１のアンテナ使用優先度セットにおける前記通信モジュールに割り当てられる前記アンテナの数である場合、前記第２のアンテナ使用優先度セットにおける各通信モジュールについて、１または複数の残りのアンテナからアンテナを前記代替的な選択方式で選択すること
であり、
前記第１のアンテナ使用優先度セットにおける前記通信モジュールは、同じアンテナ使用優先度を有し、
前記第２のアンテナ使用優先度セットにおける前記通信モジュールは、同じアンテナ使用優先度を有し、
前記第１のアンテナ使用優先度セットにおける各通信モジュールのアンテナ使用優先度は、前記第２のアンテナ使用優先度セットにおける各通信モジュールのアンテナ使用優先度より高い、
請求項６に記載の方法。
【請求項８】
前記複数の通信モジュールにおける第１の通信モジュールが、前記第１の通信モジュール用に構成されたアンテナを予め設定された期間中に用いていない、と判断した場合、前記第１の通信モジュール用に構成された前記アンテナを前記複数の通信モジュールにおける第２の通信モジュール用に構成する段階であって、前記第１の通信モジュールのアンテナ使用優先度は、前記第２の通信モジュールのアンテナ使用優先度より高い、段階と、
前記第１の通信モジュールは、前記第１の通信モジュール用に構成された前記アンテナを用いる必要がある、と判断した場合、前記第１の通信モジュール用に構成された前記アンテナを前記第１の通信モジュール用に再構成する段階と
をさらに備える、請求項１から７のいずれか一項に記載の方法。
【請求項９】
端末デバイスにおける複数の通信モジュールの各々の通信ステータスを決定する前記段階の前に、
前記端末デバイスのステータスを決定する段階
をさらに備え、
各通信モジュールの前記アンテナ使用優先度に基づいて、前記通信モジュール用にアンテナを構成する前記段階は、
前記通信モジュールの前記アンテナ使用優先度と前記端末デバイスの前記ステータスとに基づいて、前記アンテナを各通信モジュール用に構成する段階
を有する、
請求項１から８のいずれか一項に記載の方法。
【請求項１０】
前記予め設定された対応関係は、
前記通信ステータスが、信号の受信信号強度指標ＲＳＳＩが第１の予め設定された値未満であるという条件で音声サービスを実行中、である場合、前記通信ステータスに対応する通信モジュールは、第１のアンテナ使用優先度を有し、
前記通信ステータスが、前記信号の前記ＲＳＳＩが前記第１の予め設定された値以上であるという条件で前記音声サービスを実行中、である場合、前記通信ステータスに対応する通信モジュールは、第２のアンテナ使用優先度を有し、
前記第１のアンテナ使用優先度は、前記第２のアンテナ使用優先度より高い、
ということである、
請求項１から９のいずれか一項に記載の方法。
【請求項１１】
前記複数の通信モジュールは、
セルラ通信技術をサポートする通信モジュールと、
近距離通信技術をサポートする通信モジュールと
を含む、
請求項１から１０のいずれか一項に記載の方法。
【請求項１２】
前記セルラ通信技術をサポートする前記通信モジュールは、ロングタームエボリューションＬＴＥ通信モジュールであり、
前記近距離通信技術をサポートする前記通信モジュールは、ワイヤレスフィデリティＷｉＦｉ通信モジュールである、
請求項１１に記載の方法。
【請求項１３】
端末デバイスにおける複数の通信モジュールの各々の通信ステータスを決定する前記段階の前に、
前記複数の通信モジュールの中に通信ステータスが変化する通信モジュールが存在している、と判断する段階
をさらに備える、請求項１から１２のいずれか一項に記載の方法。
【請求項１４】
複数の通信モジュールと、
複数のアンテナと、
プロセッサと
を備え、
前記プロセッサは、前記複数の通信モジュールの各々の通信ステータスを決定するように構成され、
前記プロセッサはさらに、各通信モジュールの前記通信ステータスに基づいて、前記通信モジュールのアンテナ使用優先度を決定するように構成され、
前記プロセッサはさらに、各通信モジュールの前記アンテナ使用優先度に基づいて、アンテナを前記通信モジュール用に構成するように構成される、
端末デバイス。
【請求項１５】
前記プロセッサは、前記通信ステータスと予め設定された対応関係とに基づいて、各通信モジュールの前記アンテナ使用優先度を決定するように構成され、
前記予め設定された対応関係は、前記通信ステータスと前記アンテナ使用優先度との間の対応関係を含む、
請求項１４に記載の端末デバイス。
【請求項１６】
前記プロセッサは具体的には、
各通信モジュールの前記アンテナ使用優先度に基づいて、前記通信モジュールに割り当てられるアンテナの数を決定し、かつ、
各通信モジュールに割り当てられる前記アンテナの数に基づいて、前記アンテナを前記通信モジュール用に構成する
ように構成される、
請求項１４または１５に記載の端末デバイス。
【請求項１７】
前記プロセッサは具体的には、各通信モジュールの前記アンテナ使用優先度と、前記通信モジュールによりサポートされるアンテナの最大数と、前記通信モジュールについてのアンテナ数割り当て原則とに基づいて、前記通信モジュールに割り当てられる前記アンテナの数を決定するように構成される、
請求項１６に記載の端末デバイス。
【請求項１８】
前記アンテナ数割り当て原則は、
各通信モジュールの前記アンテナ使用優先度に基づいて、前記通信モジュールに割り当てられるアンテナの最小数を決定すること、
平均割り当て方式と残りのアンテナの数とに基づいて、第１のアンテナ使用優先度セットにおける各通信モジュールに割り当てられるアンテナの数を決定すること、および、
前記第１のアンテナ使用優先度セットにおける各通信モジュールに割り当てられる前記アンテナの数が、前記第１のアンテナ使用優先度セットにおける前記通信モジュールによりサポートされるアンテナの最大数である場合、前記平均割り当て方式と残りのアンテナの数とに基づいて、第２のアンテナ使用優先度セットにおける各通信モジュールに割り当てられるアンテナの数を決定すること
であり、
前記第１のアンテナ優先度セットにおける通信モジュールは、同じアンテナ優先度を有し、
前記第２のアンテナ優先度セットにおける通信モジュールは、同じ優先度を有し、
前記第１のアンテナ優先度セットにおける各通信モジュールの前記優先度は、前記第２のアンテナ優先度セットにおける各通信モジュールの前記優先度より高い、
請求項１７に記載の端末デバイス。
【請求項１９】
前記プロセッサはさらに、
各通信モジュールについてアンテナ性能測定結果を決定するように構成され、
前記プロセッサは具体的には、
前記通信モジュールに割り当てられる前記アンテナの数に基づいて、各通信モジュール用に前記アンテナを構成することに関して、
前記通信モジュールの前記アンテナ使用優先度と、前記通信モジュールに割り当てられる前記アンテナの数と、前記アンテナ性能測定結果と、前記通信モジュールについてのアンテナ選択原則とに基づいて、各通信モジュール用に前記アンテナを構成するように構成される、
請求項１６から１８のいずれか一項に記載の端末デバイス。
【請求項２０】
前記アンテナ選択原則は、
各通信モジュールについて、前記通信モジュールに対応するアンテナの最小の好ましい数を前記アンテナ使用優先度の降順かつアンテナ性能の降順で選択すること、
前記第１のアンテナ使用優先度セットにおける各通信モジュールについて、１または複数の残りのアンテナからアンテナを代替的な選択方式で選択すること、および、
前記第１のアンテナ使用優先度セットにおける各通信モジュールについて選択されたアンテナの数が、前記第１のアンテナ使用優先度セットにおける前記通信モジュールに割り当てられる前記アンテナの数である場合、前記第２のアンテナ使用優先度セットにおける各通信モジュールについて、１または複数の残りのアンテナからアンテナを前記代替的な選択方式で選択すること
であり、
前記第１のアンテナ使用優先度セットにおける前記通信モジュールは、同じアンテナ使用優先度を有し、
前記第２のアンテナ使用優先度セットにおける前記通信モジュールは、同じアンテナ使用優先度を有し、
前記第１のアンテナ使用優先度セットにおける各通信モジュールのアンテナ使用優先度は、前記第２のアンテナ使用優先度セットにおける各通信モジュールのアンテナ使用優先度より高い、
請求項１９に記載の端末デバイス。
【請求項２１】
前記プロセッサはさらに、
前記複数の通信モジュールにおける、アンテナ使用優先度が第２の通信モジュールのアンテナ使用優先度より高い第１の通信モジュールが、前記第１の通信モジュール用に構成されたアンテナを予め設定された期間中に用いていない、と判断した場合、前記第１の通信モジュール用に構成された前記アンテナを前記複数の通信モジュールにおける前記第２の通信モジュール用に構成するように構成され、
前記第１の通信モジュールは、前記第１の通信モジュール用に構成された前記アンテナを用いる必要がある、と判断した場合、前記第１の通信モジュール用に構成された前記アンテナを前記第１の通信モジュール用に再構成するように構成される、
請求項１４から２０のいずれか一項に記載の端末デバイス。
【請求項２２】
前記プロセッサはさらに、
前記端末デバイスのステータスを決定するように構成され、
前記プロセッサは具体的には、
各通信モジュールの前記アンテナ使用優先度に基づいて、前記アンテナを前記通信モジュール用に構成することに関して、
各通信モジュールの前記アンテナ使用優先度と前記端末デバイスの前記ステータスとに基づいて、前記アンテナを前記通信モジュール用に構成するように構成される、
請求項１４から２１のいずれか一項に記載の端末デバイス。
【請求項２３】
前記予め設定された対応関係は、
前記通信ステータスが、信号の受信信号強度指標ＲＳＳＩが第１の予め設定された値未満であるという条件で音声サービスを実行中、である場合、前記通信ステータスに対応する通信モジュールは、第１のアンテナ使用優先度を有し、
前記通信ステータスが、前記信号の前記ＲＳＳＩが前記第１の予め設定された値以上であるという条件で前記音声サービスを実行中、である場合、前記通信ステータスに対応する通信モジュールは、第２のアンテナ使用優先度を有し、
前記第１のアンテナ使用優先度は、前記第２のアンテナ使用優先度より高い、
ということである、
請求項１４から２２のいずれか一項に記載の端末デバイス。
【請求項２４】
前記複数の通信モジュールは、
セルラ通信技術をサポートする通信モジュールと、
近距離通信技術をサポートする通信モジュールと
を有する、
請求項１４から２３のいずれか一項に記載の端末デバイス。
【請求項２５】
前記セルラ通信技術をサポートする前記通信モジュールは、ロングタームエボリューションＬＴＥ通信モジュールであり、
前記近距離通信技術をサポートする前記通信モジュールは、ワイヤレスフィデリティＷｉＦｉ通信モジュールである、
請求項２４に記載の端末デバイス。
【請求項２６】
前記プロセッサはさらに、
前記複数の通信モジュールの各々の前記通信ステータスを決定する前に、
前記複数の通信モジュールの中に通信ステータスが変化する通信モジュールが存在している、と判断する
ように構成される、
請求項１４から２５のいずれか一項に記載の端末デバイス。
【請求項２７】
プロセッサと、
メモリと、
複数のアンテナと、
複数の通信チップと
を備え、
前記複数の通信チップの各々は、通信技術をサポートし、
前記メモリ、前記プロセッサおよび前記複数の通信チップは、バスシステムを用いて接続され、
前記メモリは、命令を格納するように構成され、
前記プロセッサは、請求項１から１３のいずれか一項に記載の方法を実行するために、前記メモリに格納された前記命令を呼び出すように構成される、
端末デバイス。
【請求項２８】
端末デバイスに適用されるアンテナ回路であって、
Ｍ個のアンテナと、
Ｍ個のスイッチングモジュールと、
Ｎ個の通信モジュールと、
切り替え制御モジュールと
を備え、
前記Ｍ個のスイッチングモジュールの各々は、可動端と、少なくとも２つの非可動端とを有し、
前記スイッチングモジュールにおける前記可動端は、前記Ｍ個のアンテナのうちの１つに接続され、
前記スイッチングモジュールにおける前記少なくとも２つの非可動端の各々は、前記Ｎ個の通信モジュールのうちの１つに接続され、
前記スイッチングモジュールにおけるどの２つの非可動端にも異なる通信モジュールが接続され、
前記Ｎ個の通信モジュールの各々は、前記スイッチングモジュールのうちの少なくとも２つのスイッチングモジュールの前記非可動端に接続され、
Ｍは、２以上の正の整数であり、Ｎは、２以上の正の整数であり、
前記切り替え制御モジュールは、
前記Ｎ個の通信モジュールが同時に動作する場合、
前記Ｎ個の通信モジュールの各々の通信ステータスを決定し、
各通信モジュールの前記通信ステータスに基づいて、前記通信モジュールのアンテナ使用優先度を決定し、かつ、
前記Ｍ個のスイッチングモジュールを制御することにより、各通信モジュールの前記アンテナ使用優先度に基づいて、前記Ｍ個のアンテナのうちのアンテナを前記通信モジュール用に構成する
ように構成される、
アンテナ回路。
【請求項２９】
Ｍの値は４であり、Ｎの値は２である、
請求項２８に記載のアンテナ回路。
【請求項３０】
前記Ｎ個の通信モジュールは、
セルラ通信技術をサポートする通信モジュールと、
近距離通信技術をサポートする通信モジュールと
を有する、
請求項２９に記載のアンテナ回路。
【請求項３１】
前記セルラ通信技術をサポートする前記通信モジュールは、ロングタームエボリューションＬＴＥ通信モジュールであり、
前記近距離通信技術をサポートする前記通信モジュールは、ＷｉＦｉ通信モジュールである、
請求項３０に記載のアンテナ回路。
【請求項３２】
前記Ｍ個のスイッチングモジュールは、単極双投スイッチである、
請求項２９から３１のいずれか一項に記載のアンテナ回路。
【発明の詳細な説明】
【技術分野】
【０００１】
本発明の実施形態は、通信分野に関し、より具体的には、アンテナ構成方法、端末デバイスおよびアンテナ回路に関する。
【背景技術】
【０００２】
多入力多出力（Ｍｕｌｔｉｐｌｅ  Ｉｎｐｕｔ  Ｍｕｌｔｉｐｌｅ  Ｏｕｔｐｕｔ、略して「ＭＩＭＯ」）技術は主に、複数のアンテナ（例えば、４つのアンテナ）および複数の無線周波数チャネル（例えば、４つの受信チャネル）などのハードウェア条件をチップベースバンドアルゴリズムと組み合わせて用いることにより、ユーザのデータスループット体験を改善する。ＭＩＭＯの性能は主に、各アンテナのアンテナ効率（Ａｎｔｅｎｎａ  Ｅｆｆｉｃｉｅｎｃｙ）、アンテナ間効率差（アンテナ間不均衡）、アンテナ相関（Ｅｎｖｅｌｏｐｅ  Ｃｏｒｒｅｌａｔｉｏｎ  Ｃｏｅｆｆｉｃｉｅｎｔ、略して「ＥＣＣ」）およびアンテナ隔離度（Ａｎｔｅｎｎａ  Ｉｓｏｌａｔｉｏｎ）を含むアンテナ性能に依存する。アンテナ性能は主に、携帯電話のアンテナ空間に依存する。しかしながら、携帯電話のアンテナ空間は制限されているので、携帯電話端末に異なる通信モジュールの多重アンテナＭＩＭＯを実装することは非常に難しい。
【０００３】
現在、異なる通信モジュールの多重アンテナＭＩＭＯを実装するための方法は主に、アンテナ周波数分割モードおよびアンテナ時分割モードを含む。ＬＴＥ通信モジュールおよびワイヤレスフィデリティ（Ｗｉｒｅｌｅｓｓ  Ｆｉｄｅｌｉｔｙ、略して「ＷｉＦｉ」）通信モジュールを例として用いる。周波数分割モードは、フィルタを用いて、アンテナにより受信されたＬＴＥ信号およびＷｉＦｉ信号に対してフィルタリング処理を実行して、フィルタリング後に取得されたＷｉＦｉ信号をＷｉＦｉ無線周波数分岐に至らしめ、ＷｉＦｉ信号がフィルタリングで除去された後に取得された信号をＬＴＥ無線周波数分岐に至らしめることを指す。この解決手段において、フィルタは、各無線周波数分岐にさらなる無線周波数挿入損失を追加するので、ＬＴＥサービスの質およびＷｉＦｉサービスの質の両方に影響が及ぶ。時分割モードは、単極双投スイッチを用いて、異なる通信モジュール間を切り替えるようアンテナを制御することを指す。さらにＬＴＥ通信モジュールおよびＷｉＦｉ通信モジュールを例として用いる。時分割モードは、単極双投スイッチを用いて、ＬＴＥ通信モジュールとＷｉＦｉ通信モジュールとの間で切り替えるようアンテナを制御することである。単極双投スイッチの制御ロジックは、ＬＴＥ通信モジュールに優先度を与えることであり、ＷｉＦｉ通信モジュールによるアンテナの使用は常に、低い優先度である。具体的には、ＬＴＥサービスが行われる場合、アンテナは、単極双投スイッチを用いて、セルラネットワーク通信チップに切り替えられ、アンテナは、ＬＴＥサービスにより占有される。この場合、ＷｉＦｉサービスは、アンテナを用い得ない。この場合、ユーザがＷｉＦｉサービスを用いているときは、ユーザの使用体験は、著しく影響を受ける。
【発明の概要】
【０００４】
本願は、アンテナ構成方法、端末デバイスおよびアンテナ回路を提供する。アンテナが、端末デバイスにおける通信モジュールの通信ステータスに基づいて、異なる通信モジュール用に動的に構成されることにより、サービスユーザのシナリオ体験が改善される。
【０００５】
第１の態様によれば、アンテナ構成方法が提供される。方法は、端末デバイスにおける複数の通信モジュールの各々の通信ステータスを決定する段階と、通信モジュールの通信ステータスに基づいて、各通信モジュールのアンテナ使用優先度を決定する段階と、通信モジュールのアンテナ使用優先度に基づいて、アンテナを各通信モジュール用に構成する段階とを含む。
【０００６】
従って、本願におけるアンテナ構成方法によれば、各通信モジュールのアンテナ使用優先度は、端末デバイスにおける通信モジュールの通信ステータスに基づいて決定され、アンテナは、各通信モジュールのアンテナ使用優先度に基づいて、通信モジュール用に構成されるので、高いアンテナ使用優先度を有する通信モジュールは、低いアンテナ使用優先度を有する通信モジュールより多くのアンテナリソースを占有する。これにより、高いアンテナ使用優先度を有する通信モジュールのサービスユーザのシナリオ体験が改善される。
【０００７】
第１の態様に関連して、第１の態様の第１の可能な実装形態において、
各通信モジュールの通信ステータスに基づいて、通信モジュールのアンテナ使用優先度を決定する段階は、
通信ステータス、および通信ステータスとアンテナ使用優先度との間の対応関係を含む予め設定された対応関係に基づいて、各通信モジュールのアンテナ使用優先度を決定する段階
を有する。
【０００８】
第１の態様または第１の態様の第１の可能な実装形態を参照すると、第１の態様の第２の可能な実装形態において、
各通信モジュールのアンテナ使用優先度に基づいて、通信モジュール用にアンテナを構成する段階は、
各通信モジュールのアンテナ使用優先度に基づいて、通信モジュールに割り当てられるアンテナの数を決定する段階と、
各通信モジュールに割り当てられるアンテナの数に基づいて、通信モジュール用にアンテナを構成する段階と
を有する。
【０００９】
第１の態様の第２の可能な実装形態に関連して、第１の態様の第３の可能な実装形態において、
各通信モジュールのアンテナ使用優先度に基づいて、通信モジュールに割り当てられるアンテナの数を決定する段階は、各通信モジュールのアンテナ使用優先度と、通信モジュールによりサポートされるアンテナの最大数と、通信モジュールについてのアンテナ数割り当て原則とに基づいて、通信モジュールに割り当てられるアンテナの数を決定する段階を有する。
【００１０】
第１の態様の第３の可能な実装形態に関連して、第１の態様の第４の可能な実装形態において、
アンテナ数割り当て原則は、
各通信モジュールのアンテナ使用優先度に基づいて、通信モジュールに割り当てられるアンテナの最小数を決定すること、
平均割り当て方式と残りのアンテナの数とに基づいて、第１のアンテナ使用優先度セットにおける各通信モジュールに割り当てられるアンテナの数を決定すること、および、
第１のアンテナ使用優先度セットにおける各通信モジュールに割り当てられるアンテナの数が、第１のアンテナ使用優先度セットにおける通信モジュールによりサポートされるアンテナの最大数である場合、平均割り当て方式と残りのアンテナの数とに基づいて、第２のアンテナ使用優先度セットにおける各通信モジュールに割り当てられるアンテナの数を決定すること
であり、
第１のアンテナ使用優先度セットにおける通信モジュールは、同じアンテナ使用優先度を有し、
第２のアンテナ使用優先度セットにおける通信モジュールは、同じアンテナ使用優先度を有し、
第１のアンテナ使用優先度セットにおける各通信モジュールのアンテナ使用優先度は、第２のアンテナ使用優先度セットにおける各通信モジュールのアンテナ使用優先度より高い。
【００１１】
本願の本実施形態におけるアンテナ数割り当て原則によれば、通信モジュールのアンテナ使用優先度が正の相関方式におけるアンテナ数割り当てに対応することが保証され得ることにより、サービスユーザのシナリオ体験が改善される。
【００１２】
第１の態様の第２の可能な実装形態から第４の可能な実装形態のいずれか１つに関連して、第１の態様の第５の可能な実装形態において、
方法は、
各通信モジュールについてアンテナ性能測定結果を決定する段階
をさらに備え、
通信モジュールに割り当てられるアンテナの数に基づいて、各通信モジュール用にアンテナを構成する段階は、
通信モジュールのアンテナ使用優先度と、通信モジュールに割り当てられるアンテナの数と、アンテナ性能測定結果と、通信モジュールについてのアンテナ選択原則とに基づいて、各通信モジュール用にアンテナを構成する段階
を含む。
【００１３】
任意選択で、各通信モジュールは、受信信号の強度、受信信号の信号対ノイズ比、受信信号のビットエラー率、送信信号の質などのパラメータを用いて、アンテナ性能を評価する。
【００１４】
第１の態様の第５の可能な実装形態に関連して、第１の態様の第６の可能な実装形態において、
アンテナ選択原則は、
各通信モジュールについて、通信モジュールに対応するアンテナの最小の好ましい数をアンテナ使用優先度の降順かつアンテナ性能の降順で選択すること、
第１のアンテナ使用優先度セットにおける各通信モジュールについて、１または複数の残りのアンテナからアンテナを代替的な選択方式で選択すること、および、
第１のアンテナ使用優先度セットにおける各通信モジュールについて選択されたアンテナの数が、第１のアンテナ使用優先度セットにおける通信モジュールに割り当てられるアンテナの数である場合、第２のアンテナ使用優先度セットにおける各通信モジュールについて、１または複数の残りのアンテナからアンテナを代替的な選択方式で選択すること
であり、
第１のアンテナ使用優先度セットにおける通信モジュールは、同じアンテナ使用優先度を有し、
第２のアンテナ使用優先度セットにおける通信モジュールは、同じアンテナ使用優先度を有し、
第１のアンテナ使用優先度セットにおける各通信モジュールのアンテナ使用優先度は、第２のアンテナ使用優先度セットにおける各通信モジュールのアンテナ使用優先度より高い。
【００１５】
本願の本実施形態におけるアンテナ選択原則によれば、高い性能を有するアンテナが、高いアンテナ使用優先度を有する通信モジュール用に構成され得ることにより、サービスユーザのシナリオ体験が改善される。
【００１６】
第１の態様または第１の態様の第１の可能な実装形態から第６の可能な実装形態のいずれか１つに関連して、第１の態様の第７の可能な実装形態において、
方法は、
複数の通信モジュールにおける第１の通信モジュールが、第１の通信モジュール用に構成されたアンテナを予め設定された期間中に用いていない、と判断した場合、第１の通信モジュール用に構成されたアンテナを複数の通信モジュールにおける第２の通信モジュール用に構成する段階であって、第１の通信モジュールのアンテナ使用優先度は、第２の通信モジュールのアンテナ使用優先度より高い、段階と、
第１の通信モジュールは、第１の通信モジュール用に構成されたアンテナを用いる必要がある、と判断した場合、第１の通信モジュール用に構成されたアンテナを第１の通信モジュール用に再構成する段階と
をさらに備える。
【００１７】
従って、多重アンテナの共有が通信モジュール間で実装され得ることにより、アンテナ使用効率が改善される。
【００１８】
第１の態様または第１の態様の第１の可能な実装形態から第７の可能な実装形態のいずれか１つに関連して、第１の態様の第８の可能な実装形態において、
端末デバイスにおける複数の通信モジュールの各々の通信ステータスを決定する段階の前に、
方法は、
端末デバイスのステータスを決定する段階
をさらに備え、
各通信モジュールのアンテナ使用優先度に基づいて、通信モジュール用にアンテナを構成する段階は、
通信モジュールのアンテナ使用優先度と端末デバイスのステータスとに基づいて、アンテナを各通信モジュール用に構成する段階
を有する。
【００１９】
任意選択で、端末デバイスの現在のステータスは、端末デバイスのバッテリレベルステータスおよび／または端末デバイスの現在のスクリーンステータスを含む。
【００２０】
従って、適切なアンテナの数が、端末デバイスのステータスと通信モジュールのアンテナ使用優先度とに関連して各通信モジュール用に構成され得ることにより、サービスユーザのシナリオ体験が改善される。
【００２１】
第１の態様または第１の態様の第１の可能な実装形態から第８の可能な実装形態のいずれか１つに関連して、第１の態様の第９の可能な実装形態において、
予め設定された対応関係は、
通信ステータスが、信号の受信信号強度指標ＲＳＳＩが第１の予め設定された値未満であるという条件で音声サービスを実行中、である場合、通信ステータスに対応する通信モジュールは、第１のアンテナ使用優先度を有し、
通信ステータスが、信号のＲＳＳＩが第１の予め設定された値以上であるという条件で音声サービスを実行中、である場合、通信ステータスに対応する通信モジュールは、第２のアンテナ使用優先度を有し、
第１のアンテナ使用優先度は、第２のアンテナ使用優先度より高い、
ということである。
【００２２】
第１の態様または第１の態様の第１の可能な実装形態から第９の可能な実装形態のいずれか１つに関連して、第１の態様の第１０の可能な実装形態において、
複数の通信モジュールは、セルラ通信技術をサポートする通信モジュールと、近距離通信技術をサポートする通信モジュールとを含む。
【００２３】
第１の態様の第１０の可能な実装形態に関連して、第１の態様の第１１の可能な実装形態において、
本発明の本実施形態において、任意選択で、セルラ通信技術をサポートする通信モジュールは、ロングタームエボリューションＬＴＥ通信モジュールであり、近距離通信技術をサポートする通信モジュールは、ワイヤレスフィデリティＷｉＦｉ通信モジュールである。
【００２４】
任意選択で、一例において、近距離通信技術をサポートする通信モジュールは、Ｂｌｕｅｔｏｏｔｈ（登録商標）ＢＴ通信モジュールであり、または、近距離通信技術をサポートする通信モジュールは、全地球測位システムＧＰＳ通信モジュールである。
【００２５】
第１の態様または第１の態様の第１の可能な実装形態から第１１の可能な実装形態いずれか１つに関連して、第１の態様の第１２の可能な実装形態において、
端末デバイスにおける複数の通信モジュールの各々の通信ステータスを決定する段階の前に、
方法は、
複数の通信モジュールの中に通信ステータスが変化する通信モジュールが存在している、と判断する段階
をさらに含む。
【００２６】
任意選択で、前述可能な実装形態のいずれかにおける方法は、周期的に実行される。
【００２７】
第２の態様によれば、端末デバイスが提供される。端末デバイスは、第１の態様または第１の態様の任意の可能な実装形態による方法を実行するように構成される。具体的には、端末デバイスは、複数の通信モジュールと、複数のアンテナと、プロセッサとを含む。プロセッサは、第１の態様または第１の態様の任意の可能な実装形態による方法を実行するように構成される。
【００２８】
第３の方法によれば、端末デバイスが提供される。  端末デバイスは、
プロセッサと、
メモリと、
複数のアンテナと、
複数の通信チップと
を備え、
複数の通信チップの各々は、通信技術をサポートし、
メモリ、プロセッサおよび複数の通信チップは、バスシステムを用いて接続され、
メモリは、命令を格納するように構成され、
プロセッサは、端末デバイスが、第１の態様または第１の態様の任意の可能な実装形態による方法を実行するよう有効化されるように、メモリに格納された命令を呼び出すように構成される。
【００２９】
第４の態様によれば、コンピュータ可読媒体が提供される。コンピュータ可読媒体は、コンピュータプログラムを格納ように構成される。コンピュータプログラムは、第１の態様または第１の態様の任意の可能な実装形態による方法を実行するために用いられる命令を含む。
【００３０】
第５の態様によれば、アンテナ回路が提供される。アンテナ回路は、端末デバイスに適用される。アンテナ回路は、Ｍ個のアンテナと、Ｍ個のスイッチングモジュールと、Ｎ個の通信モジュールと、切り替え制御モジュールとを含む。Ｍ個のスイッチングモジュールの各々は、可動端および少なくとも２つの非可動端を含む。
スイッチングモジュールにおける可動端は、Ｍ個のアンテナのうちの１つに接続され、
スイッチングモジュールにおける少なくとも２つの非可動端の各々は、Ｎ個の通信モジュールのうちの１つに接続され、スイッチングモジュールにおけるどの２つの非可動端にも異なる通信モジュールが接続され、
Ｎ個の通信モジュールの各々は、スイッチングモジュールの少なくとも２つのスイッチングモジュールの非可動端に接続され、
Ｍは２以上の正の整数であり、Ｎは２以上の正の整数である。
【００３１】
切り替え制御モジュールは、
Ｎ個の通信モジュールの各々の通信ステータスを決定し、かつ、
Ｍ個のスイッチングモジュールを制御することにより、通信モジュールのアンテナ使用優先度に基づいて、Ｍ個のアンテナのうちのアンテナを各通信モジュール用に構成する
ように構成される。
【００３２】
従って、本願におけるアンテナ回路によれば、
アンテナが、高いアンテナ使用優先度を有効化するよう、通信モジュールのアンテナ使用優先度に基づいて、各通信モジュール用に構成されることで、サービスユーザのシナリオ体験が改善される。
【００３３】
第５の態様に関連して、第５の態様の第１の可能な実装形態において、Ｍの値は４であり、Ｎの値は２である。
【００３４】
第５の態様の第１の可能な実装形態に関連して、第２の可能な実装形態の第５の態様において、
Ｎ個の通信モジュールは、セルラ通信技術をサポートする通信モジュールと、近距離通信技術をサポートする通信モジュールとを含む。
【００３５】
第５の態様の第２の可能な実装形態に関連して、第５の態様の第３の可能な実装形態において、
本発明の本実施形態において、任意選択で、セルラ通信技術をサポートする通信モジュールは、ロングタームエボリューションＬＴＥ通信モジュールであり、近距離通信技術をサポートする通信モジュールは、ＷｉＦｉ通信モジュールである。
【００３６】
任意選択で、一例において、近距離通信技術をサポートする通信モジュールは、Ｂｌｕｅｔｏｏｔｈ（登録商標）ＢＴ通信モジュールであり、または、近距離通信技術をサポートする通信モジュールは、全地球測位システムＧＰＳ通信モジュールである。
【００３７】
第５の態様の第１の可能な実装形態から第３の可能な実装形態のいずれか１つに関連して、第５の態様の第４の可能な実装形態において、Ｍ個のスイッチングモジュールは、単極双投スイッチである。
【図面の簡単な説明】
【００３８】
本発明の実施形態における技術的解決手段をより明確に説明するために、以下では、本発明の実施形態を説明するために必要な添付図面を簡潔に説明する。以下の説明における添付図面は、本発明のいくつかの実施形態を示いるに過ぎず、当業者であれば、創造的努力なくこれらの添付図面から他の図面をさらに導き出し得ることは明らかである。
【００３９】
【図１】本発明の実施形態による端末デバイスの概略ブロック図である。
【００４０】
【図２】本発明の実施形態によるアンテナ回路の概略ブロック図である。
【００４１】
【図３】本願発明の特定の実施形態によるアンテナ回路の概略ブロック図である。
【００４２】
【図４】本発明の実施形態によるアンテナ構成方法の概略フローチャートである。
【００４３】
【図５】本発明の実施形態によるアンテナ構成方法の別の概略フローチャートである。
【００４４】
【図６】本発明の実施形態による、各通信モジュールにアンテナ数を割り当てるための方法の概略フローチャートである。
【００４５】
【図７】本発明の実施形態による、各通信モジュールについてアンテナを選択するための方法の概略フローチャートである。
【００４６】
【図８（ａ）】本発明の別の実施形態による、各通信モジュールについてアンテナを選択するための方法の概略フローチャートである。
【図８（ｂ）】本発明の別の実施形態による、各通信モジュールについてアンテナを選択するための方法の概略フローチャートである。
【００４７】
【図９】高いアンテナ使用優先度規格を有する通信モジュールと低いアンテナ使用優先度を有する通信モジュールとが本発明の実施形態によるアンテナを共有している概略図である。
【００４８】
【図１０】本願発明の特定の実施形態による、各通信モジュールにアンテナを割り当てるための方法の概略図である。
【００４９】
【図１１】本発明の別の実施形態による端末デバイスの概略ブロック図である。
【発明を実施するための形態】
【００５０】
以下では、本発明の実施形態の添付図面を参照して、本発明の実施形態における技術的解決手段を明確かつ十分に説明する。説明される実施形態が本発明の実施形態の全てではなく一部であることは明らかである。当業者が創造的努力をすることなく本発明の実施形態に基づいて取得する全ての他の実施形態は、本発明の保護範囲に含まれるものとする。
【００５１】
本発明の実施形態における技術的解決手段は、グローバル・システム・フォー・モバイルコミュニケーションズ（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ（登録商標））システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、ＬＴＥ周波数分割デュプレックス（Ｆｒｅｑｕｅｎｃｙ  Ｄｉｖｉｓｉｏｎ  Ｄｕｐｌｅｘ、ＦＤＤ）システム、ＬＴＥ時分割デュプレックス（Ｔｉｍｅ  Ｄｉｖｉｓｉｏｎ  Ｄｕｐｌｅｘ、ＴＤＤ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）などの様々な通信システムに適用され得ることが理解されるべきである。
【００５２】
本発明の実施形態において、通信モジュールは、通信システムまたは通信技術に対応することに留意すべきである。例えば、本発明の実施形態における通信モジュールは、ＬＴＥ通信モジュールを含む。ＬＴＥ通信モジュールは、ＬＴＥシステムをサポートしている。言い換えると、ＬＴＥ通信モジュールは、ＬＴＥ通信技術をサポートしている。
【００５３】
本発明の実施形態において、端末デバイス（Ｔｅｒｍｉｎａｌ  Ｅｑｕｉｐｍｅｎｔ）は、ユーザ機器（Ｕｓｅｒ  Ｅｑｕｉｐｍｅｎｔ、略して「ＵＥ」）、移動局（Ｍｏｂｉｌｅ  Ｓｔａｔｉｏｎ、略して「ＭＳ」）、モバイル端末（Ｍｏｂｉｌｅ  Ｔｅｒｍｉｎａｌ）等とも称され得ることがさらに理解されるべきである。ユーザ機器は、無線アクセスネットワーク（Ｒａｄｉｏ  Ａｃｃｅｓｓ  Ｎｅｔｗｏｒｋ、略して「ＲＡＮ」）を用いて、１または複数のコアネットワークと通信し得る。例えば、ユーザ機器は、携帯電話（「セルラ」電話とも称される）、モバイル端末付きコンピュータ、ポータブル式のポケットサイズのハンドヘルドコンピュータ、ビルトイン型または車載型モバイル装置、将来の５Ｇネットワークにおける端末デバイスまたは将来の進化型公衆陸上移動体ネットワーク（Ｐｕｂｌｉｃ  Ｌａｎｄ  Ｍｏｂｉｌｅ  Ｎｅｔｗｏｒｋ、略して「ＰＬＭＮ」）における端末デバイス、であり得る。
【００５４】
図１は、本発明の実施形態による関連する端末デバイスの部分構造のブロック図である。図１を参照すると、端末デバイス１００は、無線周波数（Ｒａｄｉｏ  Ｆｒｅｑｕｅｎｃｙ、略して「ＲＦ」）回路１０１、ＬＴＥ通信モジュール１０２、ＷｉＦｉ通信モジュール１０３、入力ユニット１０４、ディスプレイユニット１０５、センサ１０６、オーディオ回路１０７、メモリ１０８、プロセッサ１０９、アンテナ１１０および電源１１１などのコンポーネントを含む。これらのコンポーネントは、１または複数の通信バスまたは信号線を用いて、互いに通信する。当業者であれば、図１に示されるデバイスの構造は、端末デバイスに対するいかなる限定も構成しないこと、図に示されるものより多いかまたはより少ないコンポーネントを含み得ること、もしくはいくつかのコンポーネントが組み合わされ得ること、または異なるコンポーネントレイアウトが用いられ得ることを理解し得る。
【００５５】
端末デバイス１００のコンポーネントは、図１を参照して以下で詳細に説明される。
【００５６】
ＲＦ回路１０１は、データ送信プロセスにおいて電気信号を無線周波数信号（電磁信号など）に変換し、アンテナ（Ａｎｔｅｎｎａ）１１０を用いて、無線周波数信号を無線通信ネットワークまたは別の通信デバイスへ送信電力で送信するように構成され得る。さもなければ、ＲＦ回路１０１は、アンテナ１１０から受信した無線周波数信号を電気信号に変換し、電気信号を処理用にＬＴＥ通信モジュール１０２またはＷｉＦｉ通信モジュール１０３へ送信する。例えば、端末デバイス１００が基地局とやり取りする場合、ＲＦ回路１０１は、基地局により届けられてダウンリンクデータを保持している無線周波数信号を受信するようアンテナ１１０を制御し、無線周波数信号を処理用にＬＴＥ通信モジュール１０２へ送信する。加えて、ＲＦ回路１０１は、ＬＴＥ通信モジュール１０２により送信されてアップリンクデータを保持している無線周波数信号を受信した後に、アンテナ１１０を用いて、無線周波数信号を基地局へ送信する。代替的に、端末デバイス１００がアクセスポイント（Ａｃｃｅｓｓ  Ｐｏｉｎｔ、略して「ＡＰ」）とやり取りする場合、ＲＦ回路１０１は、ＡＰにより届けられてダウンリンクデータを保持している無線周波数信号を受信するようアンテナ１１０を制御し、無線周波数信号を処理用にＬＴＥ通信モジュール１０３へ送信する。同様に、ＲＦ回路１０１は、ＬＴＥ通信モジュール１０３により送信されてアップリンクデータを保持している無線周波数信号を受信した後に、アンテナ１０１を用いて、無線周波数信号をＡＰへ送信する。アップリンクデータまたはダウンリンクデータは、通話データ、情報データ、モバイルネットワークデータ等を含む。端末デバイス１００は、少なくとも２つのアンテナ１１０を含む。端末デバイス１００は、別の通信技術をサポートする通信モジュールをさらに含み得ることが理解され得る。ＬＴＥ通信モジュール１０２およびＷｉＦｉ通信モジュール１０３は、本明細書における例に過ぎない。
【００５７】
無線通信ネットワークは、例えば、インターネット（ワールドワイドウェブ（Ｗｏｒｌｄ  Ｗｉｄｅ  Ｗｅｂ、略して「ＷＷＷ」）とも称される）、イントラネットおよび／または無線ネットワーク（セルラ電話ネットワークなど、無線ローカルエリアネットワーク（Ｗｉｒｅｌｅｓｓ  Ｌｏｃａｌ  Ａｒｅａ  Ｎｅｔｗｏｒｋ、略して「ＷＬＡＮ」）および／またはメトロポリタンエリアネットワーク（Ｍｅｔｒｏｐｏｌｉｔａｎ  Ａｒｅａ  Ｎｅｔｗｏｒｋ、略して「ＭＡＮ」）である。無線通信は、ＧＳＭ（登録商標）システム、強化データＧＳＭ（登録商標）環境（ＥＤＧＥ）、高速ダウンリンクパケットアクセス（ＨＳＤＰＡ）、高速アップリンクパケットアクセス（ＨＳＵＰＡ）、ＷＣＤＭＡ（登録商標）、ＣＤＭＡ、時分割多元接続（ＴＤＭＡ）、ＬＴＥ、Ｂｌｕｅｔｏｏｔｈ（登録商標）、ＷｉＦｉ（例えば、ＩＥＥＥ８０２．１１ａ、ＩＥＥＥ８０２．１１ｂ、ＩＥＥＥ８０２．１１ｇおよび／またはＩＥＥＥ８０２．１１ｎ）、ボイスオーバーインターネットプロトコル（ＶｏＩＰ）、Ｗｉ‐ＭＡＸ、電子メールプロトコル（例えば、インターネットメッセージアクセスプロトコル（ＩＭＡＰ）および／またはポストオフィスプロトコル（ＰＯＰ））、インスタントメッセージ（例えば、エクステンシブルメッセージングアンドプレゼンスプロトコル（ＸＭＰＰ））、ＳＩＰフォーインスタントメッセージングアンドプレゼンスレバレッジングエクステンションズ（ＳＩＭＰＬＥ）、インスタントメッセージおよびプレゼンスサービス（ＩＭＰＳ）および／またはショートメッセージサービス（ＳＭＳ）または本明細書の出願データより前に開発されていない通信プロトコルなどの任意の他の適切な通信プロトコルを含むがこれらに限定されない任意のタイプの様々な通信上の規格、プロトコルおよび技術を用い得る。
【００５８】
メモリ１０８は、ソフトウェアプログラムおよびモジュールを格納するように構成され得る。プロセッサ１０９は、メモリ１０８に格納されたソフトウェアプログラムおよびモジュールを動作させて、端末デバイスの様々な機能アプリケーションおよびデータ処理を実行する。メモリ１０８は主に、プログラム格納領域およびデータ格納領域を含み得る。プログラム格納領域は、少なくとも１つの機能（音声再生機能および画像表示機能など）により必要とされるオペレーティングシステム、アプリケーション等を格納し得る。データ格納領域は、無線通信デバイスの使用に基づいて作成されるデータ（オーディオ周波数データおよびアドレス帳など）等を格納し得る。加えて、メモリ１０８は、高速ランダムアクセスメモリを含み得、さらに、少なくとも１つの磁気ディスクストレージデバイス、フラッシュメモリなどの不揮発性メモリ、または別の揮発性ソリッドステートストレージデバイスを含み得る。
【００５９】
入力ユニット１０４は、入力されたジェスチャ情報、数字情報または文字情報を受信し、端末デバイス１００のユーザ設定および機能制御に関連する主要な信号入力を生成するように構成され得る。具体的には、入力ユニット１０４は、タッチスクリーンおよび別の入力デバイスを含み得る。タッチスクリーンは、タッチスクリーン上またはタッチスクリーン近くでのユーザのタッチ制御操作（指またはスタイラスなどの任意の適切な物体または付属品を用いた、タッチスクリーン上またはタッチスクリーン近くでのユーザの操作など）を収集し、予め設定されたプログラムに基づいて、対応する接続装置を駆動し得る。タッチスクリーンに加えて、入力ユニット１３０は、別の入力デバイスをさらに含み得る。具体的には、別の入力デバイスは、限定されはしないが、物理キーボード、機能キー（音量調節キーまたはスイッチキーなど）、トラックボール、マウス、ジョイスティック等のうちの１または複数を含み得る。
【００６０】
ディスプレイユニット１０５は、ユーザにより入力された情報またはユーザに提供された情報と、無線通信デバイスの様々なメニューとを表示するように構成され得る。ディスプレイユニット１０５は、ディスプレイスクリーンを含み得る。任意選択で、ディスプレイスクリーンは、液晶ディスプレイ（Ｌｉｑｕｉｄ  Ｃｒｙｓｔａｌ  Ｄｉｓｐｌａｙ、略して「ＬＣＤ」）、有機発光ダイオード（Ｏｒｇａｎｉｃ  Ｌｉｇｈｔ  Ｅｍｉｔｔｉｎｇ  Ｄｉｏｄｅ、略して「ＯＬＥＤ」）等を用いて構成され得る。だが、図１において、タッチスクリーンおよびディスプレイスクリーンは、無線通信デバイスの入力機能および出力機能を実装するための２つの別個のコンポーネントとして用いられる。しかしながら、いくつかの実施形態において、タッチスクリーンおよびディスプレイスクリーンは、無線通信デバイスの入力機能および出力機能を実装するために統合され得る。
【００６１】
端末デバイス１００は、静電容量センサ、光学センサ、モーションセンサおよび他のセンサなどの少なくとも１つのセンサ１０６をさらに含み得る。光学センサは、周辺光センサおよび近接センサを含み得る。近接センサは、物体が無線通信デバイスに接近しているかどうかを検出するように構成され得る。静電容量センサは、容量の変化を生じさせ得る、無線通信デバイスに接近する物体（人体または動物など）が存在しているかどうかを検出するように構成され得る。
【００６２】
オーディオ回路１０７、スピーカおよびマイクは、ユーザと端末デバイスとの間のオーディオインタフェースを提供し得る。オーディオ回路１０７は、受信したオーディオデータを電気信号に変換し、その電気信号をスピーカへ送信し得る。スピーカは、出力のために電気信号を音声信号に変換する。他方では、マイクは、収集した音声信号を電気信号に変換する。オーディオ回路１０７は、電気信号を受信し、電気信号をオーディオデータに変換し、次に、処理のためにオーディオデータをプロセッサ１０９に出力する。次に、プロセッサ１０９は、ＲＦ回路１０１を用いてオーディオデータを例えば別の無線通信デバイスに送信するか、またはさらなる処理のためにオーディオデータをメモリ１０８に出力する。
【００６３】
プロセッサ１０９は、端末デバイスのコントロールセンタであり、様々なインタフェースおよび線を用いて、無線通信デバイス全体の様々な部分に接続される。プロセッサ１０９は、メモリ１０８に格納されたソフトウェアプログラムおよび／またはモジュールを動作させるか、または実行して、メモリ１０８に格納されたデータを呼び出すことで、無線通信デバイスの様々な機能およびデータ処理を実行することにより、無線通信デバイスに対する全体的なモニタリングを実行する。任意選択で、プロセッサ１０９は、アプリケーションプロセッサ（Ａｐｐｌｉｃａｔｉｏｎ  Ｐｒｏｃｅｓｓｏｒ）およびモデムプロセッサ（Ｍｏｄｅｍ  Ｐｒｏｃｅｓｓｏｒ）を含む。アプリケーションプロセッサは主に、オペレーティングシステム、ユーザインタフェース、アプリケーション等を処理する。モデムプロセッサは主に、無線通信を処理する。モデムプロセッサおよびモデムプロセッサは、同じプロセッサに統合され得るか、または互いに独立した別個のプロセッサであり得ることが理解され得る。プロセッサ１０９は、中央処理装置（Ｃｅｎｔｒａｌ  Ｐｒｏｃｅｓｓｉｎｇ  Ｕｎｉｔ、略して「ＣＰＵ」）であり得るか、または別の汎用プロセッサ、デジタル信号プロセッサ（ＤＳＰ）、特定用途向け集積回路（ＡＳＩＣ）、フィールドプログラマブルゲートアレイ（ＦＰＧＡ）もしくは別のプログラマブルロジックデバイス、ディスクリートゲートロジックデバイスもしくはトランジスタロジックデバイス、ディスクリートハードウェアコンポーネント等であり得る。汎用プロセッサは、マイクロプロセッサであり得るか、または任意の従来のプロセッサ等であり得る。プロセッサ１０９およびメモリ１０８は、同じチップに統合され得るか、または互いに独立した別個のチップであり得ることが理解され得る。
【００６４】
端末デバイス１００は、コンポーネントに電力を供給する電源１１１（バッテリなど）をさらに含む。好ましくは、電源は、電力管理システムを用いてプロセッサ１０９に論理的に接続されることにより、電力管理システムを用いた充電、放電および電力消費管理などの機能を実装し得る。
【００６５】
図には示されないが、端末デバイスは、カメラ、ＧＰＳ通信モジュール、Ｂｌｕｅｔｏｏｔｈ通信モジュール等をさらに含み得る。詳細は、本明細書において説明されない。
【００６６】
図１に示されるように、端末デバイス１００は、ＬＴＥおよびＷｉＦｉなどの通信技術をサポートする。従って、アンテナ１１０は、ＬＴＥおよびＷｉＦｉなどの通信技術をサポートするアンテナを含んでいる必要がある。現在、ＬＴＥ  ＭＩＭＯまたはＷｉＦｉ  ＭＩＭＯなどの多入力多出力（Ｍｕｌｔｉｐｌｅ−Ｉｎｐｕｔ  Ｍｕｌｔｉｐｌｅ−Ｏｕｔｐｕｔ、略して「ＭＩＭＯ」）技術は通常、通信品質を改善するために用いられている。しかしながら、端末デバイス１００のアンテナ空間は限定されている。限定されたアンテナ空間では、ＬＴＥ  ＭＩＭＯおよびＷｉＦｉ  ＭＩＯＭの両方とも、比較的多数のアンテナ１１０を設定することによってはサポートされ得ない。
【００６７】
このことに基づいて、本発明の実施形態は、複数の通信モジュールがアンテナを共有し得、複数の通信技術をサポートするＭＩＭＯ送信を端末デバイスがサポートし得ることによりサービスユーザのシナリオ体験が改善されるようにアンテナを構成するために用いられるアンテナ回路を提供する。
【００６８】
具体的には、図２は、本発明の実施形態によるアンテナ回路の概略ブロック図である。図２に示されるように、アンテナ回路２００は、Ｍ個のアンテナ２０１、Ｍ個のスイッチングモジュール２０２、Ｎ個の通信モジュール２０３および切り替え制御モジュール２０４を含む。各スイッチングモジュール２０２は、可動端および少なくとも２つの非可動端を含む。スイッチングモジュール２０２における可動端は、Ｍ個のアンテナ２０１のうちの１つに接続される。スイッチングモジュール２０２における少なくとも２つの非可動端の各々は、Ｎ個の通信モジュール２０３のうちの１つに接続される。スイッチングモジュール２０２におけるどの２つの非可動端に接続される通信モジュールも異なる。切り替え制御モジュール２０４は、プロセッサ１０９に配置され得るか、またはＬＴＥ通信チップなどの別の通信チップに配置され得る。
【００６９】
各通信モジュール２０３は、少なくとも２つのスイッチングモジュール２０２の非可動端に接続される。Ｍは２以上の正の整数であり、Ｎは２以上の正の整数である。
【００７０】
切り替え制御モジュール２０４は、複数の通信モジュール２０３が同時に動作する場合、複数の通信モジュール２０３の通信ステータスを判断し、複数の通信モジュール２０３の通信ステータスに基づいて、各通信モジュール２０３のアンテナ使用優先度を判断し、かつ、通信モジュール２０３に接続されたスイッチングモジュール２０２を制御することにより、通信モジュール２０３のアンテナ使用優先度に基づいて、アンテナをＭ個のアンテナ２０１の各通信モジュール２０３用に構成するように構成される。
【００７１】
スイッチングモジュール２０２は、スイッチングモジュール２０２における非可動端に接続された通信モジュール２０３間で切り替えるようスイッチングモジュール２０２における可動端に接続されたアンテナを制御するように構成されることが理解され得る。
【００７２】
任意選択で、一例において、Ｎ個の通信モジュールは、セルラ通信技術をサポートする通信モジュールと、近距離通信技術をサポートする通信モジュールとを含む。近距離通信技術は、ＷｉＦｉ、Ｂｌｕｅｔｏｏｔｈ（登録商標）、ＧＰＳ等を含むが、それらに限定されない。
【００７３】
任意選択で、一例において、セルラ通信技術をサポートする通信モジュールは、ＬＴＥ通信モジュールであり、近距離通信技術をサポートする通信モジュールは、ＷｉＦｉ通信モジュールである。
【００７４】
前述の実施形態において、スイッチングモジュールは、単極多投スイッチであり得るか、または異なる通信モジュール間での切り替えを実装し得る別の回路コンポーネントであり得る。加えて、通信モジュールの異なる数に基づいて、スイッチングモジュールは、それに応じて変わる。例えば、端末デバイスが３つの通信モジュールを含む場合、１つのアンテナは、単極三投スイッチを用いて、３つの通信モジュールに電気的に接続され得る。スイッチングモジュールの特定のタイプは、本願において限定されない。
【００７５】
図３は、本願発明の特定の実施形態によるアンテナ回路の概略図である。図３に示されるように、端末デバイスは、４つのアンテナを含む。これらのアンテナはそれぞれ、アンテナ０、アンテナ１、アンテナ２およびアンテナ３と表示される。各アンテナは、単極双投スイッチを用いて、端末デバイスにおけるＷｉＦｉ通信モジュールまたはＬＴＥ通信モジュールに接続される。通信処理において、アンテナは、動的にスケジューリングされ得るリソースとみなされ、切り替え制御モジュールは、各通信モジュールの通信ステータスに基づいて、通信モジュール（ＬＴＥ通信モジュールおよびＷｉＦｉ通信モジュール）のアンテナ使用優先度を決定し、決定したアンテナ使用優先度に基づいて、アンテナを各通信モジュール用に構成する。例えば、図３に示されるように、アンテナ０から２はＬＴＥ通信モジュール用に構成され、アンテナ３はＷｉＦｉ通信モジュール用に構成される。
【００７６】
端末デバイス１００が図３に示される４つのアンテナおよびアンテナ回路を含む例を用いて、本発明の実施形態によるアンテナ構成方法が、以下で詳細に説明される。実施形態の説明において、「第１の」、「第２の」等は、説明される対象物を区別するためのものに過ぎず、説明される対象物についてのいかなる限定も構成するわけではないことに留意すべきである。
【００７７】
図４は、本発明の実施形態によるアンテナ構成方法である。方法は、図２における切り替え制御モジュール２０４により実行される。切り替え制御モジュール２０４は、プロセッサ１０９に配置され得るか、または別の通信チップに配置され得る。例えば、本実施形態における切り替え制御モジュール２０４は、プロセッサ１０９に組み込まれる。図４に示されるように、方法１００は、以下の段階を含む。
【００７８】
Ｓ１１０：端末デバイスにおける複数の通信モジュールの各々の通信ステータスを判断する。
【００７９】
任意選択で、通信モジュールの通信ステータスは、以下の態様のうちの１または複数を含む。
（１）通信モジュールに対応する無線通信ネットワークの信号ステータス、例えば、弱受信、弱送信、強受信または強送信。  一般性を失うことなく、無線通信ネットワークの信号ステータスは、受信信号強度指標（Ｒｅｃｅｉｖｅｄ  Ｓｉｇｎａｌ  Ｓｔｒｅｎｇｔｈ  Ｉｎｄｉｃａｔｏｒ、略して「ＲＳＳＩ」）、受信信号コード電力（Ｒｅｃｅｉｖｅｄ  Ｓｉｇｎａｌ  Ｃｏｄｅ  Ｐｏｗｅｒ、略して「ＲＳＣＰ」）、基準信号受信電力（Ｒｅｆｅｒｅｎｃｅ  Ｓｉｇｎａｌ  Ｒｅｃｅｉｖｉｎｇ  Ｐｏｗｅｒ、略して「ＲＳＲＰ」）、信号対干渉雑音比（Ｓｉｇｎａｌ  ｔｏ  Ｉｎｔｅｒｆｅｒｅｎｃｅ  Ｐｌｕｓ  Ｎｏｉｓｅ  Ｒａｔｉｏ、略して「ＳＩＮＲ」）またはブロック誤り率（Ｂｌｏｃｋ  Ｅｒｒｏｒ  Ｒａｔｉｏ、略して「ＢＬＥＲ」）という信号パラメータを用いて示され得る。  （２）通信モジュールのサービスステータス、例えば、データサービス、音声サービスまたはアイドル状態  （３）通信モジュールにより実行されるデータサービスのストリーミング（Ｓｔｒｅａｍｉｎｇ）タイプまたはブラウジング（Ｂｒｏｗｓｉｎｇ）タイプなどのデータタイプ。
【００８０】
具体的には、端末デバイスにおけるＬＴＥ通信モジュール１０２およびＷｉＦｉ通信モジュール１０３が同時に動作する場合、ＬＴＥ通信モジュール１０２は、アクセス転送（Ａｃｃｅｓｓ  Ｔｒａｎｓｆｅｒ、略して「ＡＴ」）チャネルを直接用いることにより、信号ステータスおよびサービスステータスをプロセッサ１０９に報告し得、ＷｉＦｉ通信モジュール１０３は、うペリフェラルコンポーネントインターコネクトエクスプレス（Ｐｅｒｉｐｈｅｒａｌ  Ｃｏｍｐｏｎｅｎｔ  Ｉｎｔｅｒｃｏｎｎｅｃｔ  Ｅｘｐｒｅｓｓ、略して「ＰＣＩｅ」）チャネルを直接用いることにより、信号ステータスおよびサービスステータスをプロセッサ１０９に報告し得る。代替的に、プロセッサ１０９は、ＡＴチャネルを用いて、信号ステータスおよびサービスステータスを報告するようＬＴＥ通信モジュール１０２をトリガするトリガ信号をＬＴＥ通信モジュール１０２へ送信し、次に、ＬＴＥ通信モジュール１０２は、ＡＴチャネルを用いて、サービスステータスおよび信号ステータスをプロセッサ１０９に報告する。プロセッサ１０９は、ＰＣＩｅチャネルを用いて、信号ステータスおよびサービスステータスを報告するようＷｉＦｉ通信モジュール１０３をトリガするトリガ信号をＷｉＦｉ通信モジュール１０３へ送信し、次に、ＷｉＦｉ通信モジュール１０３は、ＰＣＩｅチャネルを用いて、サービスステータスおよびサービスステータスをプロセッサ１０９に報告する。プロセッサ１０９は、メモリ１０８に格納されたオペレーティングシステムのフレームワーク（Ｆｒａｍｅｗｏｒｋ）層から、ＬＴＥ通信モジュール１０２またはＷｉＦｉ通信モジュール１０３により実行されたデータサービスのデータタイプを直接取得し得る。
【００８１】
Ｓ１２０：各通信モジュールの通信ステータスに基づいて、通信モジュールのアンテナ使用優先度を決定する。
【００８２】
任意選択で、プロセッサ１０９は、通信ステータスおよび予め設定された対応関係に基づいて、各通信モジュールのアンテナ使用優先度を決定する。予め設定された対応関係は、通信ステータスとアンテナ使用優先度との間の対応関係を含む。代替的に、通信ステータスとアンテナ使用優先度との間の対応関係は、メモリ１０８において予め設定されることが理解され得る。プロセッサ１０９は、各通信モジュールの通信ステータスを決定した後、予め設定された対応関係をクエリすることにより、通信モジュールに対応するアンテナ使用優先度を決定する。例えば、端末デバイス１００は、ＬＴＥ通信モジュール１０２およびＷｉＦｉ通信モジュール１０３を含み、通信ステータスとアンテナ使用優先度との間の予め設定された対応関係は、通信ステータスが、ＬＴＥ通信モジュール１０２が音声サービスを実行中、ということである場合、ＬＴＥ通信モジュール１０２は、高いアンテナ使用優先度を有し、ＷｉＦｉ通信モジュール１０３がアイドル状態で場合、ＷｉＦｉ通信モジュール１０３は、低いアンテナ使用優先度を有する。従って、プロセッサ１０９が、ＬＴＥ通信モジュール１０３の通信ステータスは、音声サービスを実行中、であり、ＷｉＦｉ通信モジュールの通信ステータスは、アイドル状態、である、と判断した場合ＬＴＥ通信モジュール１０２は高いアンテナ使用優先度を有し、ＷｉＦｉ通信モジュール１０３は低いアンテナ使用優先度を有する、と判断され得る。
【００８３】
任意選択で、一例において、各通信モジュールのアンテナ使用優先度が決定された場合、アンテナ使用優先度の定義目的は、比較的高いアンテナ性能要件を有するサービスに対応する通信モジュールに比較的高いアンテナ使用優先度を与えること、および比較的低いアンテナ性能要件を有するサービスに対応する通信モジュールに比較的低いアンテナ使用優先度を与えることである。従って、比較的高いアンテナ性能要件を有するサービスのユーザ体験が改善され、比較的低いアンテナ性能要件を有するサービスの正常な実行が保証される。
【００８４】
例えば、通信ステータスが、データサービスまたは音声サービスを実行中、である通信モジュールは、比較的高いアンテナ使用優先度を有する、と定義され、通信ステータスが、アイドル、である通信モジュールは、比較的低いアンテナ使用優先度を有する、と定義される。通信ステータスが、弱受信／弱送信を実行中、である通信モジュールは、比較的高いアンテナ使用優先度を有する、と定義され、通信ステータスが、強受信／強送信を実行中、である通信モジュールは、比較的低いアンテナ使用優先度を有する、と定義される。データサービスのデータタイプが、ストリーミングタイプなどの連続高速送信タイプである場合、通信ステータスが、データサービスを実行中、である通信モジュールは、比較的高いアンテナ使用優先度を有する、と定義される。データサービスのデータタイプが、ブラウジングタイプなどの不連続低速送信タイプである場合、通信ステータスが、データサービスを実行中、である通信モジュールは、比較的低いアンテナ使用優先度を有する、と定義される。
【００８５】
例えば、アンテナ使用優先度はそれぞれ、最も高いアンテナ使用優先度、高いアンテナ使用優先度、中位アンテナ使用優先度および低いアンテナ使用優先度という４つのレベルに分割され得る。具体的には、通信ステータスが、弱信号フィールドにおける、例えば高精細度映像または重いトラフィックのダウンロードであり得る高速データ送信サービスを実行中、である通信モジュールは、最も高いアンテナ使用優先度を有する、と定義され、通信ステータスが、弱信号フィールドにおける、例えばＶｏＬＴＥ、ＶｏＷｉＦｉまたはＷｅＣｈａｔビデオであり得る音声サービスを実行中、である通信モジュールは、最も高いアンテナ使用優先度を有する、と定義され、または、通信ステータスが、弱信号フィールドにおけるフレームフリーズに対するユーザの感度が比較的高い、例えばタクシー配車ソフトウェアであり得るアプリケーション（Ａｐｐｌｉｃａｔｉｏｎ、略して「ＡＰＰ」）を使用中、である通信モジュールは、最も高いアンテナ使用優先度を有する、と定義される。通信ステータスが、強信号フィールドにおける高速データ送信サービスを実行中、である通信モジュールは、高いアンテナ使用優先度を有する、と定義され、通信ステータスが、強信号フィールドにおける音声サービスを実行中、である通信モジュールは、高いアンテナ使用優先度を有する、と定義され、または、通信ステータスが、強信号フィールドにおけるフレームフリーズに対するユーザの感度が比較的高いＡＰＰを使用中、である通信モジュールは、高いアンテナ使用優先度を有する、と定義される。通信ステータスが、低速データ送信サービスを実行中、である通信モジュールは、中位アンテナ使用優先度を有する、と定義される。通信ステータスが、アイドル状態、であり、基本的な接続メンテナンスを必要とする通信モジュールは、低いアンテナ使用優先度を有する、と決定される。
【００８６】
Ｓ１３０：各通信モジュールのアンテナ使用優先度に基づいて、アンテナを通信モジュール用に構成する。
【００８７】
プロセッサ１０９は、ＬＴＥ通信モジュール１０２およびＷｉＦｉ通信モジュール１０３のアンテナ使用優先度に基づいて、アンテナを構成する。プロセッサ１０９は、ＡＴチャネルを用いて、アンテナ構成結果をＬＴＥ通信モジュール１０２に通知し、ＰＣＩｅチャネルを用いて、アンテナ構成結果をＷｉＦｉ通信モジュール１０３に通知する。
【００８８】
次に、ＬＴＥ通信モジュール１０２およびＷｉＦｉ通信モジュール１０３は、構成されたアンテナの数に基づいて、アンテナアルゴリズム調整を実行する。例えば、ＬＴＥ通信モジュール１０２用に現在構成されているアンテナの数が４であり、ＷｉＦｉ通信モジュール１０３用に構成されているアンテナの数が０である場合、ＬＴＥ通信モジュール１０２は、４アンテナアルゴリズムを用い得る。アンテナ再構成処理において、ＬＴＥ通信モジュール１０２用に構成されるアンテナの数が２であり、ＷｉＦｉ通信モジュール１０３ように構成されるアンテナの数が２であると仮定すると、ＬＴＥ通信モジュール１０２は、４アンテナアルゴリズムを２アンテナアルゴリズムにロールバックする必要があり、ＷｉＦｉ通信モジュール１０３は、２アンテナアルゴリズムを用い得る。ＬＴＥ通信モジュール１０２およびＷｉＦｉ通信モジュール１０３について、構成されるアンテナの数および実行可能なアンテナアルゴリズムが、表１に示される。表１において、ｍ＋ｎは、ＬＴＥ通信モジュール１０２用に構成されるアンテナの数がｍであり、ＷｉＦｉ通信モジュール１０３用に構成されるアンテナの数がｎであることを示す。
【表１】
2019535168.tif 000003
【００８９】
本発明の本実施形態において、任意選択で、図５に示されるように、Ｓ１３０は、以下の段階を含む。
【００９０】
Ｓ１３１：各通信モジュールのアンテナ使用優先度に基づいて、通信モジュールに割り当てられるアンテナの数を決定する。
【００９１】
Ｓ１３２：各通信モジュールに割り当てられるアンテナの数に基づいて、アンテナを通信モジュール用に構成する。
【００９２】
任意選択で、Ｓ１３１において、各通信モジュールのアンテナ使用優先度に基づいて、通信モジュールに割り当てられるアンテナの数を決定する段階は具体的には、各通信モジュールのアンテナ使用優先度と、通信モジュールによりサポートされるアンテナの最大数と、通信モジュールについてのアンテナ数割り当て原則とに基づいて、通信モジュールに割り当てられるアンテナの数を決定する段階である。
【００９３】
任意選択で、一例において、アンテナ数割り当て原則は、最も高い優先度を有する通信モジュールに割り当てられるアンテナの数は、通信モジュールによりサポートされるアンテナの最大数である、ということである。１または複数の残りのアンテナが存在する場合、高い優先度を有する通信モジュールに割り当てられるアンテナの数は、通信モジュールによりサポートされるアンテナの最大数である。残りのアンテナは、全てのアンテナが割り当てられるまで、または通信モジュールによりサポートされるアンテナの最大数が各通信モジュールに割り当てられるまで、類推により推定され得る。
【００９４】
例えば、ＬＴＥ通信モジュール１０２が最も高いアンテナ使用優先度を有し、ＷｉＦｉ通信モジュール１０３が高いアンテナ使用優先度を有すると仮定する。ＬＴＥ通信モジュール１０２によりサポートされるアンテナの最大数は２であり、ＷｉＦｉ通信モジュール１０３によりサポートされるアンテナの最大数は１である。端末デバイス１００は、４つのアンテナ１１０を含む。従って、アンテナ数割り当て中、プロセッサ１０９は、２つのアンテナをＬＴＥ通信モジュール１０２に割り当てる。この場合、２つの残りのアンテナが存在するので、１つのアンテナがＷｉＦｉ通信モジュール１０３に割り当てられる。次に、１つの残りのアンテナが存在する。ＬＴＥ通信モジュール１０２およびＷｉＦｉ通信モジュール１０３の両方が、ＬＴＥ通信モジュール１０２によりサポートされるアンテナの最大数、およびＷｉＦｉ通信モジュール１０３によりサポートされるアンテナの最大数を割り当てられる。従って、アンテナ数割り当ては完了する。
【００９５】
代替的に、ＬＴＥ通信モジュール１０２が最も高いアンテナ使用優先度を有し、ＷｉＦｉ通信モジュール１０３が高いアンテナ使用優先度を有すると仮定する。ＬＴＥ通信モジュール１０２によりサポートされるアンテナの最大数は３であり、ＷｉＦｉ通信モジュール１０３によりサポートされるアンテナの最大数は２である。端末デバイス１００は、４つのアンテナ１１０を含む。従って、アンテナ数割り当て中、プロセッサ１０９は、３つのアンテナをＬＴＥ通信モジュール１０２に割り当てる。この場合、１つの残りのアンテナが存在するので、１つのアンテナがＷｉＦｉ通信モジュール１０３に割り当てられる。従って、アンテナ数割り当ては完了する。
【００９６】
任意選択で、別の例において、アンテナ数割り当て原則が図６に示される。図６において、説明を容易にするために、最も高いアンテナ使用優先度は「優先度１」と記載され、高いアンテナ使用優先度は「優先度２」と記載され、中位アンテナ使用優先度は「優先度３」と記載され、低いアンテナ使用優先度は「優先度４」と記載される。
【００９７】
アンテナ数割り当て中、プロセッサ１０９はまず、各通信モジュールのアンテナ使用優先度に基づいて、通信モジュールに割り当てられるアンテナの最小数を決定する。具体的には、アンテナ使用優先度とアンテナの最小数との間の対応関係は、メモリ１０８に予め格納され得るので、プロセッサ１０９は、通信モジュールのアンテナ使用優先度と対応関係とに基づいて、通信モジュールに割り当てられるアンテナの最小数を決定し得る。次に、プロセッサ１０９は、優先度１を有する各通信モジュールに残りのアンテナを均等に割り当てる。優先度１を有する通信モジュールに割り当てられるアンテナの数が、通信モジュールによりサポートされるアンテナの最大数に達し、かつ、残りのアンテナが存在する場合、残りのアンテナは、優先度２を有する各通信モジュールに均等に割り当てられる。優先度２を有する通信モジュールに割り当てられるアンテナの数が、通信モジュールによりサポートされるアンテナの最大数に達し、かつ、残りのアンテナが存在する場合、アンテナ数割り当ては、残りのアンテナが存在しなくなり、かつ、各通信モジュールに割り当てられるアンテナの数が、通信モジュールによりサポートされるアンテナの最大数に達するまで、前述の方式で実行される。従って、アンテナ数割り当ては完了する。
【００９８】
例えば、低いアンテナ使用優先度に対応するアンテナの最小数が０であり、中位アンテナ使用優先度に対応するアンテナの最小数が１であり、最も高い／高いアンテナ使用優先度に対応するアンテナの最小数が２であると仮定する。表２は、ＬＴＥ通信モジュール１０２によりサポートされるアンテナの最大数が４であり、ＷｉＦｉ通信モジュール１０３によりサポートされるアンテナの最大数が２であり、ＬＴＥ通信モジュール１０２およびＷｉＦｉ通信モジュール１０３が異なるアンテナ使用優先度に対応し、アンテナの数がそれぞれ、ＬＴＥ通信モジュール１０２およびＷｉＦｉ通信モジュール１０３に割り当てられ得る場合の事例を示す。例えば、表２に示されるように、ＬＴＥ通信モジュール１０２が最も高いアンテナ使用優先度に対応し、ＷｉＦｉ通信モジュール１０３が中位アンテナ使用優先度に対応する場合、プロセッサ１０９は、ＬＴＥ通信モジュール１０２に割り当てられるアンテナの最小数は２であり、ＷｉＦｉ通信モジュール１０３に割り当てられるアンテナの最小数は１であり、１つの残りのアンテナが存在している、と判断する。ＬＴＥ通信モジュール１０２のアンテナ使用優先度は、ＷｉＦｉ通信モジュール１０３のアンテナ使用優先度より高い。従って、プロセッサ１０９は、残りのアンテナをＬＴＥ通信モジュール１０２に割り当てる。最後に、ＬＴＥ通信モジュール１０２に割り当てられ得るアンテナの数は３であり、ＷｉＦｉ通信モジュール１０３に割り当てられ得るアンテナの数は１である。
【表２】
2019535168.tif 000004
【００９９】
表３は、ＬＴＥ通信モジュール１０２によりサポートされるアンテナの最大数が４であり、ＷｉＦｉ通信モジュール１０３によりサポートされるアンテナの最大数が４であり、アンテナの数がそれぞれ、ＬＴＥ通信モジュール１０２およびＷｉＦｉ通信モジュール１０３に割り当てられ得る場合の事例を示す。表３に示されるように、ＬＴＥ通信モジュール１０２が中位アンテナ使用優先度に対応し。ＷｉＦｉ通信モジュール１０３が最も高いアンテナ使用優先度に対応する場合、プロセッサ１０９は、ＬＴＥ通信モジュール１０２に割り当てられるアンテナの最小数は１であり、ＷｉＦｉ通信モジュール１０３に割り当てられるアンテナの最小数は２であり、１つの残りのアンテナが存在している、と判断する。ＷｉＦｉ通信モジュール１０３のアンテナ使用優先度は、ＬＴＥ通信モジュール１０２のアンテナ使用優先度より高い。従って、残りのアンテナは、ＷｉＦｉ通信モジュール１０３に割り当てられる。最後に、ＬＴＥ通信モジュール１０２割り当てられ得るアンテナの数は１であり、ＷｉＦｉ通信モジュール１０３に割り当てられ得るアンテナの数は３である。
【表３】
2019535168.tif 000005
【０１００】
表２および表３は、ＬＴＥ通信モジュール１０２に割り当てられるアンテナの数はｘであり、ＷｉＦｉ通信モジュール１０３に割り当てられるアンテナの数はｙである旨を示すことに留意すべきである。
【０１０１】
前述の実施形態において、通信モジュールのアンテナ使用優先度に対応するアンテナの最小数が、通信モジュールによりサポートされるアンテナの最大数より大きい場合、通信モジュールによりサポートされるアンテナの最大数は、通信モジュールのアンテナ使用優先度に対応するアンテナの最小数として決定される。
【０１０２】
本発明の本実施形態において、任意選択で、プロセッサ１０９はさらに、複数の通信モジュールの各々の通信ステータスを決定する前に、端末デバイスのステータスを決定するように構成される。各通信モジュールのアンテナ使用優先度に基づいて、アンテナを通信モジュール用に構成する場合、プロセッサ１０９は具体的には、各通信モジュールのアンテナ使用優先度と端末デバイスのステータスとに基づいて、アンテナを通信モジュール用に構成する。
【０１０３】
任意選択で、端末デバイスのステータスは、端末デバイスのバッテリレベルステータスおよび端末デバイスのスクリーンステータスを含むが、それらに限定されない。
【０１０４】
例えば、プロセッサ１０９が、端末デバイス１００のタッチスクリーンが有効化されたことを検出した場合、サービスユーザにより現在使用されているアプリケーション（Ａｐｐｌｉｃａｔｉｏｎ、略して「ＡＰＰ」）は、サービスユーザのＷｅＣｈａｔの使用体験を保証すべくＷｅＣｈａｔ（ＷｅＣｈａｔ）であり、プロセッサ１０９は、ＷｅＣｈａｔに対応する通信モジュール、例えば、ＬＴＥ通信モジュール１０２が比較的高いアンテナ使用優先度を有するので、プロセッサ１０９が比較的多数のアンテナをＬＴＥ通信モジュール１０２に割り当てる、と判断する。従って、ＬＴＥ通信モジュール１０２の通信能力および通信品質が保証され、サービスユーザのシナリオ体験が改善される。
【０１０５】
代替的に、プロセッサ１０９が、端末デバイス１００のバッテリ１１１が低バッテリレベル状態であることを検出した場合、ＬＴＥ通信モジュール１０２が表３における中位アンテナ使用優先度に対応し、ＷｉＦｉ通信モジュール１０３が表３における高いアンテナ使用優先度に対応するシナリオにおいて、プロセッサ１０９は、１つのアンテナのみをＬＴＥ通信モジュール１０２に割り当て、１つのアンテナをＷｉＦｉ通信モジュール１０３に割り当てる。従って、端末デバイス１００の電力消費が低減される。
【０１０６】
さらに、アンテナを各通信モジュール用に構成する場合、プロセッサ１０９はさらに、通信モジュールに対応するネットワークデバイスによりサポートされるアンテナの最大数を考慮する。任意選択で、ネットワークデバイスは、ネットワークデバイスによりサポートされるアンテナの最大数を示す情報をブロードキャストメッセージに追加し得、端末デバイス１００は、ブロードキャストメッセージにおける情報に基づいて、ネットワークデバイスによりサポートされるアンテナの最大数を決定する。ブロードキャストメッセージは、本発明の本実施形態において限定されない。
【０１０７】
一例として、ＬＴＥ通信モジュール１０２が表２における最も高いアンテナ使用優先度を有し、ＷｉＦｉ通信モジュール１０３が表２における中位アンテナ使用優先度を有する事例を用いる。ＬＴＥ通信モジュール１０２に対応するネットワークデバイス（基地局など）によりサポートされるアンテナの最大数が２である場合において、アンテナ構成を実行するとき、プロセッサ１０９は、２つのアンテナをＬＴＥ通信モジュール１０２用に構成し、１つのアンテナをＷｉＦｉ通信モジュール１０３用に構成する。
【０１０８】
さらに、本発明の本実施形態において、プロセッサ１０９がアンテナ構成を実行する前に、各通信モジュールは、各アンテナに接続され得る。アンテナを測定することにより、各アンテナに対して性能評価が実行され、性能評価の結果が、プロセッサ１０９へ送信される。例えば、通信モジュールは、受信信号の質、受信信号の強度、受信信号のビットエラー率および送信信号の質などのパラメータを用いてアンテナ性能を評価し、評価後にアンテナ性能をソートし、ソート結果をプロセッサ１０９に報告し得る。代替的に、通信モジュールは、パラメータ測定結果をプロセッサ１０９に直接報告し、プロセッサ１０９は、アンテナ性能をソートする。異なる通信モジュールでは、異なるアンテナのアンテナ性能は異なり得ることが理解され得る。従って、アンテナ性能は、各通信モジュールについてソートされ得る。次に、アンテナを各通信モジュール用に構成する場合、プロセッサ１０９は、比較的良好なアンテナ性能を有するアンテナから構成を開始する。
【０１０９】
任意選択で、一例において、プロセッサ１０９は具体的には、通信モジュールのアンテナ使用優先度と、通信モジュールに割り当てられるアンテナの数と、アンテナ性能測定結果と、通信モジュールについてのアンテナ選択原則とに基づいて、アンテナを各通信モジュール用に構成する。
【０１１０】
任意選択で、一例において、アンテナ選択原則が図７に示される。図７において、説明を容易にするために、最も高いアンテナ使用優先度は「優先度１」と記載され、高いアンテナ使用優先度は「優先度２」と記載され、中位アンテナ使用優先度は「優先度３」と記載され、低いアンテナ使用優先度は「優先度４」と記載される。
【０１１１】
各通信モジュール用のアンテナ選択中、プロセッサ１０９はまず、アンテナ使用優先度の降順かつアンテナ性能の降順で、通信モジュール用のアンテナの最小の好ましい数を選択する。次に、アンテナが、１または複数の残りのアンテナから、優先度１を有する各通信モジュール用に代替的な方式で選択される。優先度１を有する各通信モジュール用に選択されたアンテナの数が、通信モジュールに割り当てられるアンテナの数に達した場合、１または複数の残りのアンテナから、アンテナが、優先度２を有する各通信モジュール用に選択される。優先度２を有する各通信モジュール用に選択されたアンテナの数が、通信モジュールに割り当てられるアンテナの数に達し、かつ、残りのアンテナが存在する場合、全てのアンテナが選択されるまで、アンテナが、比較的低い優先度（優先度３および優先度４）を有する通信モジュール用に前述の方式で選択される。
【０１１２】
任意選択で、アンテナの最小の好ましい数が各通信モジュールについて選択される場合、この選択は、アンテナ使用優先度の順序で実行される。複数の通信モジュールが同じ優先度を有する場合、アンテナが、各通信モジュール用に代替的な選択方式で選択される。
【０１１３】
例えば、端末デバイス１００がＢｌｕｅｔｏｏｔｈ通信モジュールをさらに含み、４つのアンテナ１１０（アンテナに対応する番号は０から３）が端末デバイス１００において設定されると仮定する。ＬＴＥ通信モジュール１０２は高いアンテナ使用優先度を有し、ＷｉＦｉ通信モジュール１０３は中位アンテナ使用優先度を有し、Ｂｌｕｅｔｏｏｔｈ通信モジュールは低いアンテナ使用優先度を有する。ＬＴＥ通信モジュール１０２により決定されるアンテナ性能の降順は０、１、２、３であり、ＷｉＦｉ通信モジュール１０３により決定されるアンテナ性能の降順は１、２、３、０であり、Ｂｌｕｅｔｏｏｔｈ通信モジュールにより決定されるアンテナ性能の降順は、２、３、０、１である。プロセッサ１０９は、ＬＴＥ通信モジュール１０２に割り当てられるアンテナの数が２であり、ＷｉＦｉ通信モジュール１０３に割り当てられるアンテナの数が１であり、Ｂｌｕｅｔｏｏｔｈ通信モジュールに割り当てられるアンテナの数が１である、と判断する。高いアンテナ使用優先度に対応するアンテナの最小の好ましい数が２であり、中位優先度に対応するアンテナの最小の好ましい数が１であり、低いアンテナ使用優先度に対応するアンテナの最小の好ましい数が０であると仮定する。アンテナ構成処理において、プロセッサ１０９はまず、数が０および１であるアンテナをＬＴＥ通信モジュール１０２用に構成し、次に、数が２であるアンテナをＷｉＦｉ通信モジュール１０３用に構成する。この場合、１つの残りのアンテナが存在し、ＬＴＥ通信モジュール１０２用に構成されたアンテナの数は、ＬＴＥ通信モジュール１０２に割り当てられるアンテナの数に達しており、ＷｉＦｉ通信モジュール１０３用に構成されたアンテナの数は、ＷｉＦｉ通信モジュール１０３に割り当てられるアンテナの数に達している。従って、プロセッサ１０９は、残りのアンテナをＢｌｕｅｔｏｏｔｈ通信モジュール用に構成する、具体的には、数が３であるアンテナをＢｌｕｅｔｏｏｔｈ通信モジュール用に構成する。
【０１１４】
図８（ａ）および図８（ｂ）の各々は、本願発明の特定の実施形態によるアンテナ選択方法を示す。図８（ａ）に示されるように、ＬＴＥ通信モジュール１０２は高いアンテナ使用優先度に対応し、ＷｉＦｉ通信モジュール１０３は中位アンテナ使用優先度に対応すると仮定する。表２に示される結果に基づいて、プロセッサ１０９によりＬＴＥ通信モジュールに割り当てられるアンテナの数が３であり、プロセッサ１０９によりＷｉＦｉ通信モジュール１０３に割り当てられるアンテナの数が１であることが分かり得る。低いアンテナ使用優先度に対応するアンテナの最小の好ましい数が０であり、中位アンテナ使用優先度に対応するアンテナの最小の好ましい数が１であり、最も高い／高いアンテナ使用優先度に対応するアンテナの最小の好ましい数が２であると仮定する。従って、図８（ａ）に示されるように、プロセッサ１０９は、２つのアンテナをＬＴＥ通信モジュール１０２用に優先的に選択し、次に、１つのアンテナをＷｉＦｉ通信モジュール１０３用に選択する。１つの残りのアンテナが存在する。ＬＴＥ通信モジュール１０２のアンテナ使用優先度は、ＷｉＦｉ通信モジュール１０３のアンテナ使用優先度より高い。従って、プロセッサ１０９は、残りのアンテナをＬＴＥ通信モジュール１０３に割り当てる。
【０１１５】
代替的に、ＬＴＥ通信モジュール１０２は高いアンテナ使用優先度に対応し、ＷｉＦｉ通信モジュール１０３は高いアンテナ使用優先度に対応すると仮定する。表２に示される結果に基づいて、プロセッサ１０９によりＬＴＥ通信モジュール１０２に割り当てられるアンテナの数が２であり、プロセッサ１０９によりＷｉＦｉ通信モジュール１０３に割り当てられるアンテナの数が２であることが分かり得る。低いアンテナ使用優先度に対応するアンテナの最小の好ましい数が０であり、中位アンテナ使用優先度に対応するアンテナの最小の好ましい数が１であり、最も高い／高いアンテナ使用優先度に対応するアンテナの最小の好ましい数が２であると仮定する。従って、プロセッサ１０９は、図８（ｂ）に示される代替的な選択方式で、アンテナをＬＴＥ通信モジュール１０２およびＷｉＦｉ通信モジュール１０３用に選択する。
【０１１６】
本発明の本実施形態において、任意選択で、アンテナ割り当ては、長時間（秒レベルから分レベルまで）固定使用シナリオにおいて実行され、各通信モジュールは、通信モジュールに割り当てられるアンテナに最も高い使用優先度を有する。そのようなことに基づいて、通信モジュールは、複数のアンテナを共有し得る（ミリ秒レベルの共有メカニズム）。その原則は、高いアンテナ使用優先度を有する通信モジュールが、通信モジュール用に構成されたアンテナを短時間内に用いなかった場合、通信モジュール用に構成されたアンテナは、使用のために、低いアンテナ使用優先度を有する別の通信モジュールに貸し出される。ひとたび、高いアンテナ使用優先度を有する通信モジュールが、通信モジュール用に構成されたアンテナを用いる必要が生じると、アンテナは直ちに、使用のために、高いアンテナ使用優先度を有する通信モジュールに返却される。図９に示されるように、アンテナ０は、アンテナをＬＴＥ通信モジュール１０２用に構成する。しかしながら、ＬＴＥ通信モジュール１０２が、低いアンテナ使用優先度を有するが、アンテナ０を用いる必要がない場合、プロセッサ１０９は、使用のために、アンテナ０をＷｉＦｉ通信モジュール１０３用に構成し得る。ＬＴＥ通信モジュールが高いアンテナ使用優先度を有し、アンテナ０を用いる必要がある場合、アンテナ０は、ＬＴＥ通信モジュール用に優先的に再構成される。従って、アンテナ使用効率は、高いアンテナ使用優先度を有する通信モジュールのアンテナ使用性能を低減させることなく改善され得る。
【０１１７】
本発明の本実施形態において、任意選択で、プロセッサ１０９は、現在の通信ステータスを報告するよう各通信モジュールを周期的にトリガするか、または端末デバイス１００のステータスを周期的に決定する。プロセッサ１０９が、通信モジュールの通信ステータスが変化した、または端末デバイス１００のステータスが変化した（例えば、バッテリレベルステータスが変化した）、と判断した場合、プロセッサ１０９は、前述の実施形態において説明されるアンテナ構成方法に従って、アンテナを各通信モジュール用に再構成する。
【０１１８】
本発明の本実施形態において、任意選択で、端末デバイス１００のタッチスクリーンのステータスが変化した場合、タッチスクリーンは、ステータス変更情報をプロセッサ１０９に報告する。プロセッサ１０９は、タッチスクリーンにより報告されたステータス変更情報と、現在のサービスユーザにより用いられているＡＰＰとに基づいて、アンテナを端末デバイス１００における各通信モジュール用に構成する。
【０１１９】
代替的に、端末デバイス１００における通信モジュールの通信ステータスが変化した場合、通信モジュールは、ステータス変更情報をプロセッサ１０９に報告する。プロセッサ１０９は、通信モジュールにより報告されたステータス変更情報に基づいて、通信モジュールの通信ステータスが変化した、と判断する。この場合、プロセッサ１０９は、前述の実施形態において説明されるアンテナ構成方法に従って、アンテナを端末デバイス１００における各通信モジュール用に構成する。
【０１２０】
例えば、端末デバイス１００が、４つのアンテナを有する携帯電話（この携帯電話は、ＬＴＥ４層ＭＩＭＯおよびＷｉＦｉ２層ＭＩＭＯ技術をサポートする）であると仮定する。ユーザが、ＷｉＦｉネットワークを用いて、端末デバイス１００上で高精細度映像を見ており、端末デバイス１００が、ＷｉＦｉ弱信号フィールド領域（例えば、ＷｉＦｉ  ＲＳＳＩ＜−９０ｄＢｍ）に存在していると、フレームフリーズ現象が起こり、これは時として、高精細度映像（ＷｉＦｉマルチアンテナ技術を用いて解決される必要がある高精細度ビデオフレームフリーズ問題）に生じる。しかしながら、    端末デバイス１００が、ＬＴＥネットワークにおける強信号フィールド（例えば、ＲＳＲＰ＞−７０ｄＢｍ）に存在しており、アイドル状態（例えば、周期的なリスニングおよびページング）である場合、多重アンテナ要件は、比較的低い。前述使用ステータスに基づいて、プロセッサ１０９は、ＷｉＦｉ通信モジュール１０３のアンテナ使用優先度が最も高いアンテナ使用優先度であり、ＬＴＥ通信モジュール１０２のアンテナ使用優先度が中位アンテナ使用優先度である、と判断する。従って、図１０に示されるように、アンテナ構成中、プロセッサ１０９は、２つのアンテナ（アンテナ２およびアンテナ３）をＷｉＦｉ通信モジュール１０３用に構成し、２つのアンテナ（アンテナ０およびアンテナ１）をＬＴＥ通信モジュール１０２用に構成する。そのような構成において、ＷｉＦｉ通信モジュール１０２は、２層ＭＩＭＯ技術を用いて、高精細度ビデオフレームフリーズ問題を解決し得、ＬＴＥ通信モジュール１０２は、二重アンテナを用いて、ＬＴＥページングおよびリスニング動作を実行し得る。
【０１２１】
ある時点で、ＬＴＥネットワークからのＶｏＬＴＥ音声通話がある場合、ユーザが通話に応答した後に、ＬＴＥ通信モジュール１０２の通信ステータスが変化し、ＬＴＥ通信モジュール１０２は、プロセッサ１０９がアンテナリソース再構成を実行するように、ステータス変更情報をプロセッサ１０９に報告する。この場合、プロセッサ１０９は、通信モジュールの通信ステータスに基づいて、ＷｉＦｉ通信モジュール１０２のアンテナ使用優先度は中位アンテナ使用優先度であり、ＬＴＥ通信モジュール１０２のアンテナ使用優先度は高いアンテナ使用優先度である、と判断する。従って、図１０に示されるように、アンテナ構成中、プロセッサ１０９は、１つのアンテナ（アンテナ３）をＷｉＦｉ通信モジュール１０３用に構成し、３つのアンテナ（アンテナ０、アンテナ１およびアンテナ２）をＬＴＥ通信モジュール１０２用に構成する。新しいアンテナ構成において、ＷｉＦｉ通信モジュール１０２は、ＡＰへの接続が保たれる少なくとも１つのアンテナを有し、ＬＴＥ通信モジュール１０２は、マルチアンテナ技術を用いて、ＶｏＬＴＥの音質も改善し得る。
【０１２２】
次に、ユーザが、端末デバイス１００のＷｉＦｉを無効化した後に自宅を出て、外部の公共の場所でＬＴＥネットワークを用いて高精細度映像を見ると仮定する。この場合、ＷｉＦｉ通信モジュール１０３およびＬＴＥ通信モジュールの両方は、プロセッサ１０９がアンテナリソース再構成を実行するように、ステータス変更情報をプロセッサ１０９に報告する。プロセッサ１０９は、この場合における通信モジュールの通信ステータスに基づいて、ＷｉＦｉ通信モジュール１０３が低いアンテナ使用優先度に対応し、ＬＴＥ通信モジュール１０２が最も高いアンテナ使用優先度に対応する、と判断する。従って、図１０に示されるように、アンテナ構成中、プロセッサ１０９は、いずれのアンテナもＷｉＦｉ通信モジュール１０３用に構成せず、４つのアンテナ（アンテナ０、アンテナ１、アンテナ２およびアンテナ４）をＬＴＥ通信モジュール１０２用に構成する。新しいアンテナ構成において、ＬＴＥ通信モジュール１０２は、４×４  ＭＩＭＯマルチアンテナ技術を用いて、高精細度映像のスループット性能を改善し得る。
【０１２３】
アンテナを構成するように構成されるアンテナ回路と、本発明の実施形態におけるアンテナ構成方法とは、図１から図１０を参照して詳細に上述され、本発明の実施形態による端末デバイスは、図１１を参照して以下に詳細に説明される。図１１に示されるように、端末デバイス１０は、複数の通信モジュール１１と、複数のアンテナ１２と、プロセッサ１３とを含む。
【０１２４】
プロセッサ１３は、複数の通信モジュールの各々の通信ステータスを決定するように構成される。
【０１２５】
プロセッサ１３はさらに、各通信モジュールの通信ステータスに基づいて、通信モジュールのアンテナ使用優先度を決定するように構成される。
【０１２６】
プロセッサ１３はさらに、各通信モジュールのアンテナ使用優先度に基づいて、アンテナを通信モジュール用に構成するように構成される。
【０１２７】
従って、本発明の本実施形態による端末デバイスは、通信モジュールの通信ステータスに基づいて、通信モジュールのアンテナ使用優先度を決定し、通信モジュールのアンテナ使用優先度に基づいて、アンテナを異なる通信モジュール用に構成することにより、サービスユーザのシナリオ体験を改善する。
【０１２８】
本発明の本実施形態において、任意選択で、プロセッサ１３は、通信ステータスおよび予め設定された対応関係に基づいて、各通信モジュールのアンテナ使用優先度を決定するように構成される。予め設定された対応関係は、通信ステータスとアンテナ使用優先度との間の対応関係を含む。
【０１２９】
本発明の本実施形態において、任意選択で、プロセッサ１３は具体的には、各通信モジュールのアンテナ使用優先度に基づいて、通信モジュールに割り当てられるアンテナの数を決定し、かつ、通信モジュールに割り当てられるアンテナの数に基づいて、アンテナを各通信モジュール用に構成するように構成される。
【０１３０】
本発明の本実施形態において、任意選択で、プロセッサ１３は具体的には、各通信モジュールのアンテナ使用優先度と、通信モジュールによりサポートされるアンテナの最大数と、通信モジュールについてのアンテナ数割り当て原則とに基づいて、通信モジュールに割り当てられるアンテナの数を決定するように構成される。
【０１３１】
本発明の本実施形態において、任意選択で、アンテナ数割り当て原則は、各通信モジュールのアンテナ使用優先度に基づいて、通信モジュールに割り当てられるアンテナの最小数を決定すること、平均割り当て方式および残りのアンテナの数に基づいて、第１のアンテナ使用優先度セットにおける各通信モジュールに割り当てられるアンテナの数を決定すること、および、第１のアンテナ使用優先度セットにおける各通信モジュールに割り当てられるアンテナの数が、第１のアンテナ使用優先度セットにおける通信モジュールによりサポートされるアンテナの最大数である場合、平均割り当て方式および残りのアンテナの数に基づいて、第２のアンテナ使用優先度セットにおける各通信モジュールに割り当てられるアンテナの数を決定することである。
【０１３２】
第１のアンテナ優先度セットにおける通信モジュールは、同じアンテナ優先度を有し、第２のアンテナ優先度セットにおける通信モジュールは、同じ優先度を有し、第１のアンテナ優先度セットにおける各通信モジュールの優先度は、第２のアンテナ優先度セットにおける各通信モジュールの優先度より高い。
【０１３３】
本発明の本実施形態において、任意選択で、プロセッサ１３はさらに、各通信モジュールについてアンテナ性能測定結果を決定するように構成される。
【０１３４】
各通信モジュールに割り当てられるアンテナの数に基づいて、アンテナを通信モジュール用に構成することに関して、プロセッサ１３は具体的には、通信モジュールのアンテナ使用優先度と、通信モジュールに割り当てられるアンテナの数と、アンテナ性能測定結果と、通信モジュールについてのアンテナ選択原則とに基づいて、アンテナを各通信モジュール用に構成するように構成される。
【０１３５】
本発明の本実施形態において、任意選択で、アンテナ選択原則は、各通信モジュールについて、通信モジュールに対応するアンテナの最小の好ましい数をアンテナ使用優先度の降順かつアンテナ性能の降順で選択すること、第１のアンテナ使用優先度セットにおける各通信モジュールについて、１または複数の残りのアンテナからアンテナを代替的な選択方式で選択すること、および、第１のアンテナ使用優先度セットにおける各通信モジュールについて選択されたアンテナの数が、第１のアンテナ使用優先度セットにおける通信モジュールに割り当てられるアンテナの数である場合、第２のアンテナ使用優先度セットにおける各通信モジュールについて、１または複数の残りのアンテナからアンテナを代替的な選択方式で選択することである。
【０１３６】
第１のアンテナ使用優先度セットにおける通信モジュールは、同じアンテナ使用優先度を有し、第２のアンテナ使用優先度セットにおける通信モジュールは、同じアンテナ使用優先度を有し、第１のアンテナ使用優先度セットにおける各通信モジュールのアンテナ使用優先度は、第２のアンテナ使用優先度セットにおける各通信モジュールのアンテナ使用優先度より高い。
【０１３７】
本発明の本実施形態において、任意選択で、  プロセッサ１３はさらに、複数の通信モジュールにおける、アンテナ使用優先度が第２の通信モジュールのアンテナ使用優先度より高い第１の通信モジュールが、第１の通信モジュール用に構成されたアンテナを予め設定された期間中に用いていない、と判断した場合、第１の通信モジュール用に構成されたアンテナを複数の通信モジュールにおける第２の通信モジュール用に構成するように構成され、第１の通信モジュールは、第１の通信モジュール用に構成されたアンテナを用いる必要がある、と判断した場合、第１の通信モジュール用に構成されたアンテナを第１の通信モジュール用に再構成するように構成される。
【０１３８】
本発明の本実施形態において、任意選択で、プロセッサ１３はさらに、端末デバイスのステータスを決定するように構成される。
【０１３９】
各通信モジュールのアンテナ使用優先度に基づいて、アンテナを通信モジュール用に構成することに関して、プロセッサ１３は具体的には、各通信モジュールのアンテナ使用優先度と端末デバイスのステータスとに基づいて、アンテナを通信モジュール用に構成するように構成される。
【０１４０】
本発明の本実施形態において、任意選択で、予め設定された対応関係は、通信ステータスが、信号の受信信号強度指標ＲＳＳＩが第１の予め設定された値未満であるという条件で音声サービスを実行中、である場合、通信ステータスに対応する通信モジュールは、第１のアンテナ使用優先度を有し、通信ステータスが、信号のＲＳＳＩが第１の予め設定された値以上であるという条件で音声サービスを実行中、である場合、通信ステータスに対応する通信モジュールは、第２のアンテナ使用優先度を有する。第１のアンテナ使用優先度は、第２のアンテナ使用優先度より高い。
【０１４１】
本発明の本実施形態において、任意選択で、複数の通信モジュールは、セルラ通信技術をサポートする通信モジュールと、近距離通信技術をサポートする通信モジュールとを含む。
【０１４２】
本発明の本実施形態において、任意選択で、セルラ通信技術をサポートする通信モジュールは、ロングタームエボリューションＬＴＥ通信モジュールであり、近距離通信技術をサポートする通信モジュールは、ワイヤレスフィデリティＷｉＦｉ通信モジュールである。
【０１４３】
本発明の本実施形態において、任意選択で、プロセッサ１３はさらに、複数の通信モジュールの各々の通信ステータスを決定する前に、複数の通信モジュールの中に通信ステータスが変化する通信モジュールが存在している、と判断するように構成される。
【０１４４】
本発明の本実施形態において、プロセッサ１３は、処理モジュールを用いて実装され得ることに留意すべきである。
【０１４５】
当業者であれば、本明細書において開示される実施形態において説明されたユニットおよびアルゴリズムの段階の例と組み合わせて、本願は、電子的ハードウェアまたはコンピュータソフトウェアと電子的ハードウェアとの組み合わせを用いて実装され得ることを認識し得る。機能がハードウェアを用いて実行されるか、またはソフトウェアを用いて実行されるかは、技術的解決手段の特定の用途と設計上の制約条件とに依存する。当業者であれば、異なる方法を用いて、説明された機能を特定の用途毎に実装し得るが、そのような実装が本発明の範囲を越ええるものとみなされるべきではない。
【０１４６】
当業者であれば、簡便かつ簡潔に説明する目的で、システム、装置およびユニットの詳細な動作プロセスを明確に理解し得る。前述の方法の実施形態における対応するプロセスを参照されたい。詳細はここでは再び説明されない。
【０１４７】
本願において提供されるいくつかの実施形態において、開示されたシステム、装置および方法は、他の方式で実装され得ることが理解されるべきである。例えば、説明された装置の実施形態は、例に過ぎない。例えば、ユニットの分割は、論理的機能の分割に過ぎず、実際の実装では、他の分割であってよい。例えば、複数のユニットまたはコンポーネントが別のシステムへ組み合われるかまたは統合されてよく、いくつかの特徴が無視されても実行されなくてもよい。加えて、表示または説明された相互結合もしくは直接結合または通信接続は、いくつかのインタフェースを用いて実装されてよい。装置間またはユニット間の間接結合または通信接続は、電気的な形式、機械的な形式または他の形式で実装されてよい。形式
【０１４８】
別個の部分として説明されたユニットは、物理的に離れていても離れていなくてもよく、ユニットとして表示された部分は、物理なユニットであってもそうでなくてもよく、１箇所に配置されてもよく、複数のネットワークユニットに分散されてもよい。これらのユニットの一部または全てが、実施形態の解決手段の目的を達成するために、実際の必要性に基づいて選択されてよい。
【０１４９】
加えて、本発明の実施形態における機能ユニットは、１つの処理ユニットに統合されてよく、または、ユニットの各々が物理的に単独で存在してよく、または２またはそれより多くのユニットが１つのユニットに統合されてよい。
【０１５０】
機能がソフトウェア機能ユニットの形態で実装され、独立した製品として販売または使用される場合、それらの機能は、コンピュータ可読記憶媒体に格納され得る。そのような理解に基づいて、本発明の技術的解決手段は本質的に、または従来技術に寄与する部分もしくは技術的解決手段のいくつかは、ソフトウェア製品の形式で実装されてよい。コンピュータソフトウェア製品は、記憶媒体に格納され、本発明の実施形態において説明された方法の段階の全てまたはいくつかを実行するようコンピュータデバイス（パーソナルコンピュータ、サーバ、ネットワークデバイス等であってよい）に命令するためのいくつかの命令を含む。前述の記憶媒体は、ＵＳＢフラッシュドライブ、リムーバブルハードディスク、リードオンリメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスクまたは光ディスクなど、プログラムコードを格納し得る任意の媒体を含む。
【０１５１】
説明されたことは、本発明の特定の実装に過ぎず、本発明の保護範囲を限定することを意図していない。本発明において開示される技術的範囲内で当業者が容易に想到する任意の変形例または置換は、本発明の保護範囲に含まれるものとする。従って、本発明の保護範囲は、特許請求の範囲の保護範囲によって決まるものとする。
【図１】
2019535168.tif 000006
【図２】
2019535168.tif 000007
【図３】
2019535168.tif 000008
【図４】
2019535168.tif 000009
【図５】
2019535168.tif 000010
【図６】
2019535168.tif 000011
【図７】
2019535168.tif 000012
【図８（ａ）】
2019535168.tif 000013
【図８（ｂ）】
2019535168.tif 000014
【図９】
2019535168.tif 000015
【図１０】
2019535168.tif 000016
【図１１】
2019535168.tif 000017
【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
無線通信デバイスを動作させる方法であって、
前記無線通信デバイスの第２のアンテナがセルラ信号を伝達するために用いられている間、前記無線通信デバイスの第１のアンテナを介してＷｉＦｉ信号を伝達する段階と、
第２のサービスを実行するために前記第２のアンテナがセルラ信号を第２のデバイスへ伝達するために用いられている間、第１のサービスを実行するために、前記無線通信デバイスの前記第１のアンテナおよび第３のアンテナを介してＷｉＦｉ信号を第１のデバイスへ伝達する段階であって、前記第１のサービスの優先度は、前記第２のサービスの優先度より高い、段階と、
第４のサービスを実行するために前記第１のアンテナがＷｉＦｉ信号を前記第１のデバイスへ伝達するために用いられている間、第３のサービスを実行するために、前記第２のアンテナおよび前記第３のアンテナを介してセルラ信号を前記第２のデバイスへ伝達する段階であって、前記第３のサービスの優先度は、前記第４のサービスの優先度より高い、段階と
を備える方法。
【請求項２】
前記セルラ信号は、ＬＴＥ信号を含む、
請求項１に記載の方法。
【請求項３】
前記第１のサービスは、音声サービスまたはビデオサービスを含む、
請求項１または２に記載の方法。
【請求項４】
前記第２のサービスは、周期的なページングサービスを含む、
請求項１から３のいずれか一項に記載の方法。
【請求項５】
前記第３のサービスは、音声サービスを含む、
請求項１から４のいずれか一項に記載の方法。
【請求項６】
前記第４のサービスは、データブラウジングサービスを含む、
請求項１から５のいずれか一項に記載の方法。
【請求項７】
第２のサービスを実行するために前記第２のアンテナがセルラ信号を第２のデバイスへ伝達するために用いられている間、第１のサービスを実行するために、前記無線通信デバイスの前記第１のアンテナおよび第３のアンテナを介してＷｉＦｉ信号を第１のデバイスへ伝達する段階の前に、
予め設定された対応関係表に従って、前記第１のサービスの前記優先度と前記第２のサービスの前記優先度とを決定する段階と、
前記第１のサービスの前記優先度が前記第２のサービスの前記優先度より高い場合、前記第３のアンテナを切り替えて、ＷｉＦｉ信号を伝達する段階と
をさらに備え、
第４のサービスを実行するために前記第１のアンテナがＷｉＦｉ信号を前記第１のデバイスへ伝達するために用いられている間、第３のサービスを実行するために、前記第２のアンテナおよび前記第３のアンテナを介してセルラ信号を前記第２のデバイスへ伝達する段階の前に、
予め設定された対応関係表に従って、前記第３のサービスの前記優先度と前記第４のサービスの前記優先度とを決定する段階と、
前記第３のサービスの前記優先度が前記第４のサービスの前記優先度より高い場合、前記第３のアンテナを切り替えて、セルラ信号を伝達する段階と
をさらに備える、
請求項１から６のいずれか一項に記載の方法。
【請求項８】
第２のサービスを実行するために前記第２のアンテナがセルラ信号を第２のデバイスへ伝達するために用いられている間、第１のサービスを実行するために、前記無線通信デバイスの前記第１のアンテナおよび第３のアンテナを介してＷｉＦｉ信号を第１のデバイスへ伝達する段階は、
第２のサービスを実行するために前記第２のアンテナがセルラ信号を第２のデバイスへ伝達するために用いられている間、第１のサービスを実行するために、前記無線通信デバイスの前記第１のアンテナおよび第３のアンテナを介してＷｉＦｉ信号を第１のデバイスへ伝達する段階であって、前記第１のサービスの優先度は、前記第２のサービスの優先度より高く、前記ＷｉＦｉ信号のステータスは、前記セルラ信号のステータスより悪い、段階
をさらに有し、
第４のサービスを実行するために前記第１のアンテナがＷｉＦｉ信号を前記第１のデバイスへ伝達するために用いられている間、第３のサービスを実行するために、前記第２のアンテナおよび前記第３のアンテナを介してセルラ信号を前記第２のデバイスへ伝達する段階は、
第４のサービスを実行するために前記第１のアンテナがＷｉＦｉ信号を前記第１のデバイスへ伝達するために用いられている間、第３のサービスを実行するために、前記第２のアンテナおよび前記第３のアンテナを介してセルラ信号を前記第２のデバイスへ伝達する段階であって、前記第３のサービスの優先度は、前記第４のサービスの優先度より高く、前記セルラ信号のステータスは、前記ＷｉＦｉ信号のステータスより悪い、段階
をさらに有する、
請求項１から７のいずれか一項に記載の方法。
【請求項９】
端末デバイスであって、
少なくとも１つのプロセッサと、
メモリと、
第１のアンテナと、
第２のアンテナと、
第３のアンテナと
を備え、
前記メモリは、命令を格納しており、
前記命令は、
前記第２のアンテナがセルラ信号を伝達するために用いられている間、前記第１のアンテナを介してＷｉＦｉ信号を伝達し、
第２のサービスを実行するために前記第２のアンテナがセルラ信号を第２のデバイスへ伝達するために用いられている間、優先度が前記第２のサービスの優先度より高い第１のサービスを実行するために、前記第１のアンテナおよび前記第３のアンテナを介してＷｉＦｉ信号を第１のデバイスへ伝達し、かつ、
第４のサービスを実行するために前記第１のアンテナがＷｉＦｉ信号を前記第１のデバイスへ伝達するために用いられている間、優先度が前記第４のサービスの優先度より高い第３のサービスを実行するために、前記第２のアンテナおよび前記第３のアンテナを介してセルラ信号を前記第２のデバイスへ伝達するよう
前記端末デバイスに命令するように前記少なくとも１つのプロセッサにより実行可能である、
端末デバイス。
【請求項１０】
前記セルラ信号は、ＬＴＥ信号を含む、
請求項９に記載の端末デバイス。
【請求項１１】
前記第１のサービスは、音声サービスまたはビデオサービスを含み、
前記第２のサービスは、周期的なページングサービスを含み、
前記第３のサービスは、音声サービスを含み、
前記第４のサービスは、データブラウジングサービスを含む、
請求項９または１０に記載の端末デバイス。
【請求項１２】
端末デバイスに適用される装置であって、
少なくとも１つのプロセッサを備え、
前記少なくとも１つのプロセッサは、
無線通信デバイスの第２のアンテナがセルラ信号を伝達するために用いられている間に前記無線通信デバイスの第１のアンテナを介して伝達されるＷｉＦｉ信号を示し、
第２のサービスを実行するために前記第２のアンテナがセルラ信号を第２のデバイスへ伝達するために用いられている間に、優先度が前記第２のサービスの優先度より高い第１のサービスを実行するために、前記無線通信デバイスの前記第１のアンテナおよび第３のアンテナを介して第１のデバイスへ伝達されるＷｉＦｉ信号を示し、かつ、
第４のサービスを実行するために前記第１のアンテナがＷｉＦｉ信号を前記第１のデバイスへ伝達するために用いられている間に、優先度が前記第４のサービスの優先度より高い第３のサービスを実行するために前記第２のアンテナおよび前記第３のアンテナを介して前記第２のデバイスへ伝達されるセルラ信号を示す
ように構成される、
装置。
【請求項１３】
前記セルラ信号は、ＬＴＥ信号を含む、
請求項１２に記載の装置。
【請求項１４】
前記第１のサービスは、音声サービスまたはビデオサービスを含み、
前記第２のサービスは、周期的なページングサービスを含み、
前記第３のサービスは、音声サービスを含み、
前記第４のサービスは、データブラウジングサービスを含む、
請求項１２または１３に記載の装置。
【手続補正２】
【補正対象書類名】明細書
【補正対象項目名】００２３
【補正方法】変更
【補正の内容】
【００２３】
第１の態様の第１０の可能な実装形態に関連して、第１の態様の第１１の可能な実装形態において、
本発明の本実施形態において、任意選択で、セルラ通信技術をサポートする通信モジュールは、ロングタームエボリューション（ＬＴＥ）通信モジュールであり、近距離通信技術をサポートする通信モジュールは、ワイヤレスフィデリティ（ＷｉＦｉ）通信モジュールである。
【手続補正３】
【補正対象書類名】明細書
【補正対象項目名】００２４
【補正方法】変更
【補正の内容】
【００２４】
任意選択で、一例において、近距離通信技術をサポートする通信モジュールは、Ｂｌｕｅｔｏｏｔｈ（登録商標）（ＢＴ）通信モジュールであり、または、近距離通信技術をサポートする通信モジュールは、全地球測位システム（ＧＰＳ）通信モジュールである。
【手続補正４】
【補正対象書類名】明細書
【補正対象項目名】００２５
【補正方法】変更
【補正の内容】
【００２５】
第１の態様または第１の態様の第１の可能な実装形態から第１１の可能な実装形態のいずれか１つに関連して、第１の態様の第１２の可能な実装形態において、
端末デバイスにおける複数の通信モジュールの各々の通信ステータスを決定する段階の前に、
方法は、
複数の通信モジュールの中に通信ステータスが変化する通信モジュールが存在している、と判断する段階
をさらに含む。
【手続補正５】
【補正対象書類名】明細書
【補正対象項目名】００２８
【補正方法】変更
【補正の内容】
【００２８】
第３の態様によれば、端末デバイスが提供される。  端末デバイスは、
プロセッサと、
メモリと、
複数のアンテナと、
複数の通信チップと
を備え、
複数の通信チップの各々は、通信技術をサポートし、
メモリ、プロセッサおよび複数の通信チップは、バスシステムを用いて接続され、
メモリは、命令を格納するように構成され、
プロセッサは、端末デバイスが、第１の態様または第１の態様の任意の可能な実装形態による方法を実行するよう有効化されるように、メモリに格納された命令を呼び出すように構成される。
【手続補正６】
【補正対象書類名】明細書
【補正対象項目名】００３５
【補正方法】変更
【補正の内容】
【００３５】
第５の態様の第２の可能な実装形態に関連して、第５の態様の第３の可能な実装形態において、
本発明の本実施形態において、任意選択で、セルラ通信技術をサポートする通信モジュールは、ロングタームエボリューション（ＬＴＥ）通信モジュールであり、近距離通信技術をサポートする通信モジュールは、ＷｉＦｉ通信モジュールである。
【手続補正７】
【補正対象書類名】明細書
【補正対象項目名】００３６
【補正方法】変更
【補正の内容】
【００３６】
任意選択で、一例において、近距離通信技術をサポートする通信モジュールは、Ｂｌｕｅｔｏｏｔｈ（登録商標）（ＢＴ）通信モジュールであり、または、近距離通信技術をサポートする通信モジュールは、全地球測位システム（ＧＰＳ）通信モジュールである。
【手続補正８】
【補正対象書類名】明細書
【補正対象項目名】００４６
【補正方法】変更
【補正の内容】
【００４６】
【図８ａ】本発明の別の実施形態による、各通信モジュールについてアンテナを選択するための方法の概略フローチャートである。
【図８ｂ】本発明の別の実施形態による、各通信モジュールについてアンテナを選択するための方法の概略フローチャートである。
【手続補正９】
【補正対象書類名】明細書
【補正対象項目名】００５１
【補正方法】変更
【補正の内容】
【００５１】
本発明の実施形態における技術的解決手段は、グローバル・システム・フォー・モバイルコミュニケーションズ（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ（登録商標））システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システム、汎用パケット無線サービス（Ｇｅｎｅｒａｌ  Ｐａｃｋｅｔ  Ｒａｄｉｏ  Ｓｅｒｖｉｃｅ、ＧＰＲＳ）システム、ロングタームエボリューション（Ｌｏｎｇ  Ｔｅｒｍ  Ｅｖｏｌｕｔｉｏｎ、ＬＴＥ）システム、ＬＴＥ周波数分割デュプレックス（Ｆｒｅｑｕｅｎｃｙ  Ｄｉｖｉｓｉｏｎ  Ｄｕｐｌｅｘ、ＦＤＤ）システム、ＬＴＥ時分割デュプレックス（Ｔｉｍｅ  Ｄｉｖｉｓｉｏｎ  Ｄｕｐｌｅｘ、ＴＤＤ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）などの様々な通信システムに適用され得ることが理解されるべきである。
【手続補正１０】
【補正対象書類名】明細書
【補正対象項目名】００５３
【補正方法】変更
【補正の内容】
【００５３】
本発明の実施形態において、端末デバイス（Ｔｅｒｍｉｎａｌ  Ｄｅｖｉｃｅ）は、ユーザ機器（Ｕｓｅｒ  Ｅｑｕｉｐｍｅｎｔ、略して「ＵＥ」）、移動局（Ｍｏｂｉｌｅ  Ｓｔａｔｉｏｎ、略して「ＭＳ」）、モバイル端末（Ｍｏｂｉｌｅ  Ｔｅｒｍｉｎａｌ）等とも称され得ることがさらに理解されるべきである。ユーザ機器は、無線アクセスネットワーク（Ｒａｄｉｏ  Ａｃｃｅｓｓ  Ｎｅｔｗｏｒｋ、略して「ＲＡＮ」）を用いて、１または複数のコアネットワークと通信し得る。例えば、ユーザ機器は、携帯電話（「セルラ」電話とも称される）、モバイル端末付きコンピュータ、ポータブル式のポケットサイズのハンドヘルドコンピュータ、ビルトイン型または車載型モバイル装置、将来の５Ｇネットワークにおける端末デバイスまたは将来の進化型公衆陸上移動体ネットワーク（Ｐｕｂｌｉｃ  Ｌａｎｄ  Ｍｏｂｉｌｅ  Ｎｅｔｗｏｒｋ、略して「ＰＬＭＮ」）における端末デバイス、であり得る。
【手続補正１１】
【補正対象書類名】明細書
【補正対象項目名】００５７
【補正方法】変更
【補正の内容】
【００５７】
無線通信ネットワークは、例えば、インターネット（ワールドワイドウェブ（Ｗｏｒｌｄ  Ｗｉｄｅ  Ｗｅｂ、略して「ＷＷＷ」）とも称される）、イントラネットおよび／または無線ネットワーク（セルラ電話ネットワークなど）、無線ローカルエリアネットワーク（Ｗｉｒｅｌｅｓｓ  Ｌｏｃａｌ  Ａｒｅａ  Ｎｅｔｗｏｒｋ、略して「ＷＬＡＮ」）および／またはメトロポリタンエリアネットワーク（Ｍｅｔｒｏｐｏｌｉｔａｎ  Ａｒｅａ  Ｎｅｔｗｏｒｋ、略して「ＭＡＮ」）である。無線通信は、ＧＳＭ（登録商標）システム、強化データＧＳＭ（登録商標）環境（ＥＤＧＥ）、高速ダウンリンクパケットアクセス（ＨＳＤＰＡ）、高速アップリンクパケットアクセス（ＨＳＵＰＡ）、ＷＣＤＭＡ（登録商標）、ＣＤＭＡ、時分割多元接続（ＴＤＭＡ）、ＬＴＥ、Ｂｌｕｅｔｏｏｔｈ（登録商標）、ＷｉＦｉ（例えば、ＩＥＥＥ８０２．１１ａ、ＩＥＥＥ８０２．１１ｂ、ＩＥＥＥ８０２．１１ｇおよび／またはＩＥＥＥ８０２．１１ｎ）、ボイスオーバーインターネットプロトコル（ＶｏＩＰ）、Ｗｉ‐ＭＡＸ、電子メールプロトコル（例えば、インターネットメッセージアクセスプロトコル（ＩＭＡＰ）および／またはポストオフィスプロトコル（ＰＯＰ））、インスタントメッセージ（例えば、エクステンシブルメッセージングアンドプレゼンスプロトコル（ＸＭＰＰ））、ＳＩＰフォーインスタントメッセージングアンドプレゼンスレバレッジングエクステンションズ（ＳＩＭＰＬＥ）、インスタントメッセージおよびプレゼンスサービス（ＩＭＰＳ）および／またはショートメッセージサービス（ＳＭＳ）または本明細書の出願日より前に開発されていない通信プロトコルなどの任意の他の適切な通信プロトコルを含むがこれらに限定されない任意のタイプの様々な通信上の規格、プロトコルおよび技術を用い得る。
【手続補正１２】
【補正対象書類名】明細書
【補正対象項目名】００６０
【補正方法】変更
【補正の内容】
【００６０】
ディスプレイユニット１０５は、ユーザにより入力された情報またはユーザに提供された情報と、無線通信デバイスの様々なメニューとを表示するように構成され得る。ディスプレイユニット１０５は、ディスプレイスクリーンを含み得る。任意選択で、ディスプレイスクリーンは、液晶ディスプレイ（Ｌｉｑｕｉｄ  Ｃｒｙｓｔａｌ  Ｄｉｓｐｌａｙ、略して「ＬＣＤ」）、有機発光ダイオード（Ｏｒｇａｎｉｃ  Ｌｉｇｈｔ  Ｅｍｉｔｔｉｎｇ  Ｄｉｏｄｅ、略して「ＯＬＥＤ」）等を用いて構成され得る。図１において、タッチスクリーンおよびディスプレイスクリーンは、無線通信デバイスの入力機能および出力機能を実装するための２つの別個のコンポーネントとして用いられる。しかしながら、いくつかの実施形態において、タッチスクリーンおよびディスプレイスクリーンは、無線通信デバイスの入力機能および出力機能を実装するために統合され得る。
【手続補正１３】
【補正対象書類名】明細書
【補正対象項目名】００６６
【補正方法】変更
【補正の内容】
【００６６】
図１に示されるように、端末デバイス１００は、ＬＴＥおよびＷｉＦｉなどの通信技術をサポートする。従って、アンテナ１１０は、ＬＴＥおよびＷｉＦｉなどの通信技術をサポートするアンテナを含んでいる必要がある。現在、ＬＴＥ  ＭＩＭＯまたはＷｉＦｉ  ＭＩＭＯなどの多入力多出力（Ｍｕｌｔｉｐｌｅ−Ｉｎｐｕｔ  Ｍｕｌｔｉｐｌｅ−Ｏｕｔｐｕｔ、略して「ＭＩＭＯ」）技術は通常、通信品質を改善するために用いられている。しかしながら、端末デバイス１００のアンテナ空間は限定されている。限定されたアンテナ空間では、ＬＴＥ  ＭＩＭＯおよびＷｉＦｉ  ＭＩＭＯの両方とも、比較的多数のアンテナ１１０を設定することによってはサポートされ得ない。
【手続補正１４】
【補正対象書類名】明細書
【補正対象項目名】０１１４
【補正方法】変更
【補正の内容】
【０１１４】
図８ａおよび図８ｂの各々は、本願発明の特定の実施形態によるアンテナ選択方法を示す。図８ａに示されるように、ＬＴＥ通信モジュール１０２は高いアンテナ使用優先度に対応し、ＷｉＦｉ通信モジュール１０３は中位アンテナ使用優先度に対応すると仮定する。表２に示される結果に基づいて、プロセッサ１０９によりＬＴＥ通信モジュールに割り当てられるアンテナの数が３であり、プロセッサ１０９によりＷｉＦｉ通信モジュール１０３に割り当てられるアンテナの数が１であることが分かり得る。低いアンテナ使用優先度に対応するアンテナの最小の好ましい数が０であり、中位アンテナ使用優先度に対応するアンテナの最小の好ましい数が１であり、最も高い／高いアンテナ使用優先度に対応するアンテナの最小の好ましい数が２であると仮定する。従って、図８ａに示されるように、プロセッサ１０９は、２つのアンテナをＬＴＥ通信モジュール１０２用に優先的に選択し、次に、１つのアンテナをＷｉＦｉ通信モジュール１０３用に選択する。１つの残りのアンテナが存在する。ＬＴＥ通信モジュール１０２のアンテナ使用優先度は、ＷｉＦｉ通信モジュール１０３のアンテナ使用優先度より高い。従って、プロセッサ１０９は、残りのアンテナをＬＴＥ通信モジュール１０３に割り当てる。
【手続補正１５】
【補正対象書類名】明細書
【補正対象項目名】０１１５
【補正方法】変更
【補正の内容】
【０１１５】
代替的に、ＬＴＥ通信モジュール１０２は高いアンテナ使用優先度に対応し、ＷｉＦｉ通信モジュール１０３は高いアンテナ使用優先度に対応すると仮定する。表２に示される結果に基づいて、プロセッサ１０９によりＬＴＥ通信モジュール１０２に割り当てられるアンテナの数が２であり、プロセッサ１０９によりＷｉＦｉ通信モジュール１０３に割り当てられるアンテナの数が２であることが分かり得る。低いアンテナ使用優先度に対応するアンテナの最小の好ましい数が０であり、中位アンテナ使用優先度に対応するアンテナの最小の好ましい数が１であり、最も高い／高いアンテナ使用優先度に対応するアンテナの最小の好ましい数が２であると仮定する。従って、プロセッサ１０９は、図８ｂに示される代替的な選択方式で、アンテナをＬＴＥ通信モジュール１０２およびＷｉＦｉ通信モジュール１０３用に選択する。
【手続補正１６】
【補正対象書類名】明細書
【補正対象項目名】０１３２
【補正方法】変更
【補正の内容】
【０１３２】
第１のアンテナ使用優先度セットにおける通信モジュールは、同じアンテナ使用優先度を有し、第２のアンテナ使用優先度セットにおける通信モジュールは、同じアンテナ使用優先度を有し、第１のアンテナ使用優先度セットにおける各通信モジュールの優先度は、第２のアンテナ使用優先度セットにおける各通信モジュールの優先度より高い。
【手続補正１７】
【補正対象書類名】明細書
【補正対象項目名】０１４２
【補正方法】変更
【補正の内容】
【０１４２】
本発明の本実施形態において、任意選択で、セルラ通信技術をサポートする通信モジュールは、ロングタームエボリューション（ＬＴＥ）通信モジュールであり、近距離通信技術をサポートする通信モジュールは、ワイヤレスフィデリティ（ＷｉＦｉ）通信モジュールである。
【手続補正１８】
【補正対象書類名】明細書
【補正対象項目名】０１５１
【補正方法】変更
【補正の内容】
【０１５１】
説明されたことは、本発明の特定の実装に過ぎず、本発明の保護範囲を限定することを意図していない。本発明において開示される技術的範囲内で当業者が容易に想到する任意の変形例または置換は、本発明の保護範囲に含まれるものとする。従って、本発明の保護範囲は、特許請求の範囲の保護範囲によって決まるものとする。
（項目１）
アンテナ構成方法であって、
端末デバイスにおける複数の通信モジュールの各々の通信ステータスを決定する段階と、
各通信モジュールの上記通信ステータスに基づいて、上記通信モジュールのアンテナ使用優先度を決定する段階と、
各通信モジュールの上記アンテナ使用優先度に基づいて、上記通信モジュール用にアンテナを構成する段階と
を備える方法。
（項目２）
各通信モジュールの上記通信ステータスに基づいて、上記通信モジュールのアンテナ使用優先度を決定する上記段階は、
上記通信ステータス、および上記通信ステータスと上記アンテナ使用優先度との間の対応関係を含む予め設定された対応関係に基づいて、各通信モジュールの上記アンテナ使用優先度を決定する段階
を有する、
請求項１に記載の方法。
（項目３）
各通信モジュールの上記アンテナ使用優先度に基づいて、上記通信モジュール用にアンテナを構成する上記段階は、
各通信モジュールの上記アンテナ使用優先度に基づいて、上記通信モジュールに割り当てられるアンテナの数を決定する段階と、
各通信モジュールに割り当てられる上記アンテナの数に基づいて、上記通信モジュール用に上記アンテナを構成する段階と
を有する、
請求項１または２に記載の方法。
（項目４）
各通信モジュールの上記アンテナ使用優先度に基づいて、上記通信モジュールに割り当てられるアンテナの数を決定する上記段階は、
各通信モジュールの上記アンテナ使用優先度と、上記通信モジュールによりサポートされるアンテナの最大数と、上記通信モジュールについてのアンテナ数割り当て原則とに基づいて、上記通信モジュールに割り当てられる上記アンテナの数を決定する段階
を含む、
請求項３に記載の方法。
（項目５）
上記アンテナ数割り当て原則は、
各通信モジュールの上記アンテナ使用優先度に基づいて、上記通信モジュールに割り当てられるアンテナの最小数を決定すること、
平均割り当て方式と残りのアンテナの数とに基づいて、第１のアンテナ使用優先度セットにおける各通信モジュールに割り当てられるアンテナの数を決定すること、および、
上記第１のアンテナ使用優先度セットにおける各通信モジュールに割り当てられる上記アンテナの数が、上記第１のアンテナ使用優先度セットにおける上記通信モジュールによりサポートされるアンテナの最大数である場合、上記平均割り当て方式と残りのアンテナの数とに基づいて、第２のアンテナ使用優先度セットにおける各通信モジュールに割り当てられるアンテナの数を決定すること
であり、
上記第１のアンテナ使用優先度セットにおける上記通信モジュールは、同じアンテナ使用優先度を有し、
上記第２のアンテナ使用優先度セットにおける上記通信モジュールは、同じアンテナ使用優先度を有し、
上記第１のアンテナ使用優先度セットにおける各通信モジュールのアンテナ使用優先度は、上記第２のアンテナ使用優先度セットにおける各通信モジュールのアンテナ使用優先度より高い、
請求項４に記載の方法。
（項目６）
各通信モジュールについてアンテナ性能測定結果を決定する段階
をさらに備え、
上記通信モジュールに割り当てられる上記アンテナの数に基づいて、各通信モジュール用に上記アンテナを構成する上記段階は、
上記通信モジュールの上記アンテナ使用優先度と、上記通信モジュールに割り当てられる上記アンテナの数と、上記アンテナ性能測定結果と、上記通信モジュールについてのアンテナ選択原則とに基づいて、各通信モジュール用に上記アンテナを構成する段階
を含む、
請求項３から５のいずれか一項に記載の方法。
（項目７）
上記アンテナ選択原則は、
各通信モジュールについて、上記通信モジュールに対応するアンテナの最小の好ましい数を上記アンテナ使用優先度の降順かつアンテナ性能の降順で選択すること、
上記第１のアンテナ使用優先度セットにおける各通信モジュールについて、１または複数の残りのアンテナからアンテナを代替的な選択方式で選択すること、および、
上記第１のアンテナ使用優先度セットにおける各通信モジュールについて選択されたアンテナの数が、上記第１のアンテナ使用優先度セットにおける上記通信モジュールに割り当てられる上記アンテナの数である場合、上記第２のアンテナ使用優先度セットにおける各通信モジュールについて、１または複数の残りのアンテナからアンテナを上記代替的な選択方式で選択すること
であり、
上記第１のアンテナ使用優先度セットにおける上記通信モジュールは、同じアンテナ使用優先度を有し、
上記第２のアンテナ使用優先度セットにおける上記通信モジュールは、同じアンテナ使用優先度を有し、
上記第１のアンテナ使用優先度セットにおける各通信モジュールのアンテナ使用優先度は、上記第２のアンテナ使用優先度セットにおける各通信モジュールのアンテナ使用優先度より高い、
請求項６に記載の方法。
（項目８）
上記複数の通信モジュールにおける第１の通信モジュールが、上記第１の通信モジュール用に構成されたアンテナを予め設定された期間中に用いていない、と判断した場合、上記第１の通信モジュール用に構成された上記アンテナを上記複数の通信モジュールにおける第２の通信モジュール用に構成する段階であって、上記第１の通信モジュールのアンテナ使用優先度は、上記第２の通信モジュールのアンテナ使用優先度より高い、段階と、
上記第１の通信モジュールは、上記第１の通信モジュール用に構成された上記アンテナを用いる必要がある、と判断した場合、上記第１の通信モジュール用に構成された上記アンテナを上記第１の通信モジュール用に再構成する段階と
をさらに備える、請求項１から７のいずれか一項に記載の方法。
（項目９）
端末デバイスにおける複数の通信モジュールの各々の通信ステータスを決定する上記段階の前に、
上記端末デバイスのステータスを決定する段階
をさらに備え、
各通信モジュールの上記アンテナ使用優先度に基づいて、上記通信モジュール用にアンテナを構成する上記段階は、
上記通信モジュールの上記アンテナ使用優先度と上記端末デバイスの上記ステータスとに基づいて、上記アンテナを各通信モジュール用に構成する段階
を有する、
請求項１から８のいずれか一項に記載の方法。
（項目１０）
上記予め設定された対応関係は、
上記通信ステータスが、信号の受信信号強度指標ＲＳＳＩが第１の予め設定された値未満であるという条件で音声サービスを実行中、である場合、上記通信ステータスに対応する通信モジュールは、第１のアンテナ使用優先度を有し、
上記通信ステータスが、上記信号の上記ＲＳＳＩが上記第１の予め設定された値以上であるという条件で上記音声サービスを実行中、である場合、上記通信ステータスに対応する通信モジュールは、第２のアンテナ使用優先度を有し、
上記第１のアンテナ使用優先度は、上記第２のアンテナ使用優先度より高い、
ということである、
請求項１から９のいずれか一項に記載の方法。
（項目１１）
上記複数の通信モジュールは、
セルラ通信技術をサポートする通信モジュールと、
近距離通信技術をサポートする通信モジュールと
を含む、
請求項１から１０のいずれか一項に記載の方法。
（項目１２）
上記セルラ通信技術をサポートする上記通信モジュールは、ロングタームエボリューションＬＴＥ通信モジュールであり、
上記近距離通信技術をサポートする上記通信モジュールは、ワイヤレスフィデリティＷｉＦｉ通信モジュールである、
請求項１１に記載の方法。
（項目１３）
端末デバイスにおける複数の通信モジュールの各々の通信ステータスを決定する上記段階の前に、
上記複数の通信モジュールの中に通信ステータスが変化する通信モジュールが存在している、と判断する段階
をさらに備える、請求項１から１２のいずれか一項に記載の方法。
（項目１４）
複数の通信モジュールと、
複数のアンテナと、
プロセッサと
を備え、
上記プロセッサは、上記複数の通信モジュールの各々の通信ステータスを決定するように構成され、
上記プロセッサはさらに、各通信モジュールの上記通信ステータスに基づいて、上記通信モジュールのアンテナ使用優先度を決定するように構成され、
上記プロセッサはさらに、各通信モジュールの上記アンテナ使用優先度に基づいて、アンテナを上記通信モジュール用に構成するように構成される、
端末デバイス。
（項目１５）
上記プロセッサは、上記通信ステータスと予め設定された対応関係とに基づいて、各通信モジュールの上記アンテナ使用優先度を決定するように構成され、
上記予め設定された対応関係は、上記通信ステータスと上記アンテナ使用優先度との間の対応関係を含む、
請求項１４に記載の端末デバイス。
（項目１６）
上記プロセッサは具体的には、
各通信モジュールの上記アンテナ使用優先度に基づいて、上記通信モジュールに割り当てられるアンテナの数を決定し、かつ、
各通信モジュールに割り当てられる上記アンテナの数に基づいて、上記アンテナを上記通信モジュール用に構成する
ように構成される、
請求項１４または１５に記載の端末デバイス。
（項目１７）
上記プロセッサは具体的には、各通信モジュールの上記アンテナ使用優先度と、上記通信モジュールによりサポートされるアンテナの最大数と、上記通信モジュールについてのアンテナ数割り当て原則とに基づいて、上記通信モジュールに割り当てられる上記アンテナの数を決定するように構成される、
請求項１６に記載の端末デバイス。
（項目１８）
上記アンテナ数割り当て原則は、
各通信モジュールの上記アンテナ使用優先度に基づいて、上記通信モジュールに割り当てられるアンテナの最小数を決定すること、
平均割り当て方式と残りのアンテナの数とに基づいて、第１のアンテナ使用優先度セットにおける各通信モジュールに割り当てられるアンテナの数を決定すること、および、
上記第１のアンテナ使用優先度セットにおける各通信モジュールに割り当てられる上記アンテナの数が、上記第１のアンテナ使用優先度セットにおける上記通信モジュールによりサポートされるアンテナの最大数である場合、上記平均割り当て方式と残りのアンテナの数とに基づいて、第２のアンテナ使用優先度セットにおける各通信モジュールに割り当てられるアンテナの数を決定すること
であり、
上記第１のアンテナ優先度セットにおける通信モジュールは、同じアンテナ優先度を有し、
上記第２のアンテナ優先度セットにおける通信モジュールは、同じ優先度を有し、
上記第１のアンテナ優先度セットにおける各通信モジュールの上記優先度は、上記第２のアンテナ優先度セットにおける各通信モジュールの上記優先度より高い、
請求項１７に記載の端末デバイス。
（項目１９）
上記プロセッサはさらに、
各通信モジュールについてアンテナ性能測定結果を決定するように構成され、
上記プロセッサは具体的には、
上記通信モジュールに割り当てられる上記アンテナの数に基づいて、各通信モジュール用に上記アンテナを構成することに関して、
上記通信モジュールの上記アンテナ使用優先度と、上記通信モジュールに割り当てられる上記アンテナの数と、上記アンテナ性能測定結果と、上記通信モジュールについてのアンテナ選択原則とに基づいて、各通信モジュール用に上記アンテナを構成するように構成される、
請求項１６から１８のいずれか一項に記載の端末デバイス。
（項目２０）
上記アンテナ選択原則は、
各通信モジュールについて、上記通信モジュールに対応するアンテナの最小の好ましい数を上記アンテナ使用優先度の降順かつアンテナ性能の降順で選択すること、
上記第１のアンテナ使用優先度セットにおける各通信モジュールについて、１または複数の残りのアンテナからアンテナを代替的な選択方式で選択すること、および、
上記第１のアンテナ使用優先度セットにおける各通信モジュールについて選択されたアンテナの数が、上記第１のアンテナ使用優先度セットにおける上記通信モジュールに割り当てられる上記アンテナの数である場合、上記第２のアンテナ使用優先度セットにおける各通信モジュールについて、１または複数の残りのアンテナからアンテナを上記代替的な選択方式で選択すること
であり、
上記第１のアンテナ使用優先度セットにおける上記通信モジュールは、同じアンテナ使用優先度を有し、
上記第２のアンテナ使用優先度セットにおける上記通信モジュールは、同じアンテナ使用優先度を有し、
上記第１のアンテナ使用優先度セットにおける各通信モジュールのアンテナ使用優先度は、上記第２のアンテナ使用優先度セットにおける各通信モジュールのアンテナ使用優先度より高い、
請求項１９に記載の端末デバイス。
（項目２１）
上記プロセッサはさらに、
上記複数の通信モジュールにおける、アンテナ使用優先度が第２の通信モジュールのアンテナ使用優先度より高い第１の通信モジュールが、上記第１の通信モジュール用に構成されたアンテナを予め設定された期間中に用いていない、と判断した場合、上記第１の通信モジュール用に構成された上記アンテナを上記複数の通信モジュールにおける上記第２の通信モジュール用に構成するように構成され、
上記第１の通信モジュールは、上記第１の通信モジュール用に構成された上記アンテナを用いる必要がある、と判断した場合、上記第１の通信モジュール用に構成された上記アンテナを上記第１の通信モジュール用に再構成するように構成される、
請求項１４から２０のいずれか一項に記載の端末デバイス。
（項目２２）
上記プロセッサはさらに、
上記端末デバイスのステータスを決定するように構成され、
上記プロセッサは具体的には、
各通信モジュールの上記アンテナ使用優先度に基づいて、上記アンテナを上記通信モジュール用に構成することに関して、
各通信モジュールの上記アンテナ使用優先度と上記端末デバイスの上記ステータスとに基づいて、上記アンテナを上記通信モジュール用に構成するように構成される、
請求項１４から２１のいずれか一項に記載の端末デバイス。
（項目２３）
上記予め設定された対応関係は、
上記通信ステータスが、信号の受信信号強度指標ＲＳＳＩが第１の予め設定された値未満であるという条件で音声サービスを実行中、である場合、上記通信ステータスに対応する通信モジュールは、第１のアンテナ使用優先度を有し、
上記通信ステータスが、上記信号の上記ＲＳＳＩが上記第１の予め設定された値以上であるという条件で上記音声サービスを実行中、である場合、上記通信ステータスに対応する通信モジュールは、第２のアンテナ使用優先度を有し、
上記第１のアンテナ使用優先度は、上記第２のアンテナ使用優先度より高い、
ということである、
請求項１４から２２のいずれか一項に記載の端末デバイス。
（項目２４）
上記複数の通信モジュールは、
セルラ通信技術をサポートする通信モジュールと、
近距離通信技術をサポートする通信モジュールと
を有する、
請求項１４から２３のいずれか一項に記載の端末デバイス。
（項目２５）
上記セルラ通信技術をサポートする上記通信モジュールは、ロングタームエボリューションＬＴＥ通信モジュールであり、
上記近距離通信技術をサポートする上記通信モジュールは、ワイヤレスフィデリティＷｉＦｉ通信モジュールである、
請求項２４に記載の端末デバイス。
（項目２６）
上記プロセッサはさらに、
上記複数の通信モジュールの各々の上記通信ステータスを決定する前に、
上記複数の通信モジュールの中に通信ステータスが変化する通信モジュールが存在している、と判断する
ように構成される、
請求項１４から２５のいずれか一項に記載の端末デバイス。
（項目２７）
プロセッサと、
メモリと、
複数のアンテナと、
複数の通信チップと
を備え、
上記複数の通信チップの各々は、通信技術をサポートし、
上記メモリ、上記プロセッサおよび上記複数の通信チップは、バスシステムを用いて接続され、
上記メモリは、命令を格納するように構成され、
上記プロセッサは、請求項１から１３のいずれか一項に記載の方法を実行するために、上記メモリに格納された上記命令を呼び出すように構成される、
端末デバイス。
（項目２８）
端末デバイスに適用されるアンテナ回路であって、
Ｍ個のアンテナと、
Ｍ個のスイッチングモジュールと、
Ｎ個の通信モジュールと、
切り替え制御モジュールと
を備え、
上記Ｍ個のスイッチングモジュールの各々は、可動端と、少なくとも２つの非可動端とを有し、
上記スイッチングモジュールにおける上記可動端は、上記Ｍ個のアンテナのうちの１つに接続され、
上記スイッチングモジュールにおける上記少なくとも２つの非可動端の各々は、上記Ｎ個の通信モジュールのうちの１つに接続され、
上記スイッチングモジュールにおけるどの２つの非可動端にも異なる通信モジュールが接続され、
上記Ｎ個の通信モジュールの各々は、上記スイッチングモジュールのうちの少なくとも２つのスイッチングモジュールの上記非可動端に接続され、
Ｍは、２以上の正の整数であり、Ｎは、２以上の正の整数であり、
上記切り替え制御モジュールは、
上記Ｎ個の通信モジュールが同時に動作する場合、
上記Ｎ個の通信モジュールの各々の通信ステータスを決定し、
各通信モジュールの上記通信ステータスに基づいて、上記通信モジュールのアンテナ使用優先度を決定し、かつ、
上記Ｍ個のスイッチングモジュールを制御することにより、各通信モジュールの上記アンテナ使用優先度に基づいて、上記Ｍ個のアンテナのうちのアンテナを上記通信モジュール用に構成する
ように構成される、
アンテナ回路。
（項目２９）
Ｍの値は４であり、Ｎの値は２である、
請求項２８に記載のアンテナ回路。
（項目３０）
上記Ｎ個の通信モジュールは、
セルラ通信技術をサポートする通信モジュールと、
近距離通信技術をサポートする通信モジュールと
を有する、
請求項２９に記載のアンテナ回路。
（項目３１）
上記セルラ通信技術をサポートする上記通信モジュールは、ロングタームエボリューションＬＴＥ通信モジュールであり、
上記近距離通信技術をサポートする上記通信モジュールは、ＷｉＦｉ通信モジュールである、
請求項３０に記載のアンテナ回路。
（項目３２）
上記Ｍ個のスイッチングモジュールは、単極双投スイッチである、
請求項２９から３１のいずれか一項に記載のアンテナ回路。
【手続補正書】
【提出日】令和1年5月17日(2019.5.17)
【手続補正１】
【補正対象書類名】特許請求の範囲
【補正対象項目名】全文
【補正方法】変更
【補正の内容】
【特許請求の範囲】
【請求項１】
無線通信デバイスを動作させる方法であって、
前記無線通信デバイスの第２のアンテナがセルラ信号を伝達するために用いられている間、前記無線通信デバイスの第１のアンテナを介してＷｉＦｉ信号を伝達する段階と、
第２のサービスを実行するために前記第２のアンテナがセルラ信号を第２のデバイスへ伝達するために用いられている間、第１のサービスを実行するために、前記無線通信デバイスの前記第１のアンテナおよび第３のアンテナを介してＷｉＦｉ信号を第１のデバイスへ伝達する段階であって、前記第１のサービスの優先度は、前記第２のサービスの優先度より高い、段階と、
第４のサービスを実行するために前記第１のアンテナがＷｉＦｉ信号を前記第１のデバイスへ伝達するために用いられている間、第３のサービスを実行するために、前記第２のアンテナおよび前記第３のアンテナを介してセルラ信号を前記第２のデバイスへ伝達する段階であって、前記第３のサービスの優先度は、前記第４のサービスの優先度より高い、段階と
を備える方法。
【請求項２】
前記セルラ信号は、ＬＴＥ信号を含む、
請求項１に記載の方法。
【請求項３】
前記第１のサービスは、音声サービスまたはビデオサービスを含む、
請求項１または２に記載の方法。
【請求項４】
前記第２のサービスは、周期的なページングサービスを含む、
請求項１から３のいずれか一項に記載の方法。
【請求項５】
前記第３のサービスは、音声サービスを含む、
請求項１から４のいずれか一項に記載の方法。
【請求項６】
前記第４のサービスは、データブラウジングサービスを含む、
請求項１から５のいずれか一項に記載の方法。
【請求項７】
第２のサービスを実行するために前記第２のアンテナがセルラ信号を第２のデバイスへ伝達するために用いられている間、第１のサービスを実行するために、前記無線通信デバイスの前記第１のアンテナおよび第３のアンテナを介してＷｉＦｉ信号を第１のデバイスへ伝達する段階の前に、
予め設定された対応関係表に従って、前記第１のサービスの前記優先度と前記第２のサービスの前記優先度とを決定する段階と、
前記第１のサービスの前記優先度が前記第２のサービスの前記優先度より高い場合、前記第３のアンテナを切り替えて、ＷｉＦｉ信号を伝達する段階と
をさらに備え、
第４のサービスを実行するために前記第１のアンテナがＷｉＦｉ信号を前記第１のデバイスへ伝達するために用いられている間、第３のサービスを実行するために、前記第２のアンテナおよび前記第３のアンテナを介してセルラ信号を前記第２のデバイスへ伝達する段階の前に、
予め設定された対応関係表に従って、前記第３のサービスの前記優先度と前記第４のサービスの前記優先度とを決定する段階と、
前記第３のサービスの前記優先度が前記第４のサービスの前記優先度より高い場合、前記第３のアンテナを切り替えて、セルラ信号を伝達する段階と
をさらに備える、
請求項１から６のいずれか一項に記載の方法。
【請求項８】
第２のサービスを実行するために前記第２のアンテナがセルラ信号を第２のデバイスへ伝達するために用いられている間、第１のサービスを実行するために、前記無線通信デバイスの前記第１のアンテナおよび第３のアンテナを介してＷｉＦｉ信号を第１のデバイスへ伝達する段階は、
第２のサービスを実行するために前記第２のアンテナがセルラ信号を第２のデバイスへ伝達するために用いられている間、第１のサービスを実行するために、前記無線通信デバイスの前記第１のアンテナおよび第３のアンテナを介してＷｉＦｉ信号を第１のデバイスへ伝達する段階であって、前記第１のサービスの優先度は、前記第２のサービスの優先度より高く、前記ＷｉＦｉ信号のステータスは、前記セルラ信号のステータスより悪い、段階
をさらに有し、
第４のサービスを実行するために前記第１のアンテナがＷｉＦｉ信号を前記第１のデバイスへ伝達するために用いられている間、第３のサービスを実行するために、前記第２のアンテナおよび前記第３のアンテナを介してセルラ信号を前記第２のデバイスへ伝達する段階は、
第４のサービスを実行するために前記第１のアンテナがＷｉＦｉ信号を前記第１のデバイスへ伝達するために用いられている間、第３のサービスを実行するために、前記第２のアンテナおよび前記第３のアンテナを介してセルラ信号を前記第２のデバイスへ伝達する段階であって、前記第３のサービスの優先度は、前記第４のサービスの優先度より高く、前記セルラ信号のステータスは、前記ＷｉＦｉ信号のステータスより悪い、段階
をさらに有する、
請求項１から７のいずれか一項に記載の方法。
【請求項９】
端末デバイスであって、
少なくとも１つのプロセッサと、
メモリと、
第１のアンテナと、
第２のアンテナと、
第３のアンテナと
を備え、
前記メモリは、命令を格納しており、
前記命令は、
前記第２のアンテナがセルラ信号を伝達するために用いられている間、前記第１のアンテナを介してＷｉＦｉ信号を伝達し、
第２のサービスを実行するために前記第２のアンテナがセルラ信号を第２のデバイスへ伝達するために用いられている間、優先度が前記第２のサービスの優先度より高い第１のサービスを実行するために、前記第１のアンテナおよび前記第３のアンテナを介してＷｉＦｉ信号を第１のデバイスへ伝達し、かつ、
第４のサービスを実行するために前記第１のアンテナがＷｉＦｉ信号を前記第１のデバイスへ伝達するために用いられている間、優先度が前記第４のサービスの優先度より高い第３のサービスを実行するために、前記第２のアンテナおよび前記第３のアンテナを介してセルラ信号を前記第２のデバイスへ伝達するよう
前記端末デバイスに命令するように前記少なくとも１つのプロセッサにより実行可能である、
端末デバイス。
【請求項１０】
前記セルラ信号は、ＬＴＥ信号を含む、
請求項９に記載の端末デバイス。
【請求項１１】
前記第１のサービスは、音声サービスまたはビデオサービスを含み、
前記第２のサービスは、周期的なページングサービスを含み、
前記第３のサービスは、音声サービスを含み、
前記第４のサービスは、データブラウジングサービスを含む、
請求項９または１０に記載の端末デバイス。
【請求項１２】
端末デバイスに適用される装置であって、
少なくとも１つのプロセッサと、
前記少なくとも１つのプロセッサに結合され、前記少なくとも１つのプロセッサによる実行のためのプログラミング命令を記憶した非一時的コンピュータ可読記憶媒体とを備え、
前記プログラミング命令は、前記少なくとも１つのプロセッサに、
無線通信デバイスの第２のアンテナがセルラ信号を伝達するために用いられている間に前記無線通信デバイスの第１のアンテナを介して伝達されるＷｉＦｉ信号を示し、
第２のサービスを実行するために前記第２のアンテナがセルラ信号を第２のデバイスへ伝達するために用いられている間に、優先度が前記第２のサービスの優先度より高い第１のサービスを実行するために、前記無線通信デバイスの前記第１のアンテナおよび第３のアンテナを介して第１のデバイスへ伝達されるＷｉＦｉ信号を示し、かつ、
第４のサービスを実行するために前記第１のアンテナがＷｉＦｉ信号を前記第１のデバイスへ伝達するために用いられている間に、優先度が前記第４のサービスの優先度より高い第３のサービスを実行するために前記第２のアンテナおよび前記第３のアンテナを介して前記第２のデバイスへ伝達されるセルラ信号を示す
ように命令する、
装置。
【請求項１３】
前記セルラ信号は、ＬＴＥ信号を含む、
請求項１２に記載の装置。
【請求項１４】
前記第１のサービスは、音声サービスまたはビデオサービスを含み、
前記第２のサービスは、周期的なページングサービスを含み、
前記第３のサービスは、音声サービスを含み、
前記第４のサービスは、データブラウジングサービスを含む、
請求項１２または１３に記載の装置。
【国際調査報告】
2019535168.tif 000018
2019535168.tif 000019
2019535168.tif 000020
2019535168.tif 000021